(57)【特許請求の範囲】
【請求項１】
被観察者からの光を偏向する第１ミラーと前記第１ミラーで偏向された前記被観察者からの光を偏向する第２ミラーを内部に備えた第１筐体と、
前記第１筐体に接続されていて、前記第２ミラーで偏向された前記被観察者からの光による像を観察者が拡大観察可能な拡大鏡を備えた接眼鏡筒と、を有してなり、
前記被観察者を観察するための光路上には、被観察者側から順に、前記第１ミラーと前記第２ミラーと前記接眼鏡筒が配置され、
前記第１ミラーが、入射光軸と出射光軸との交点又は交点近傍を通る軸を中心として、前記第１筐体に対して回転可能に構成され、
前記第１筐体、前記第２ミラー及び前記接眼鏡筒を静止させた状態で、前記被観察者の向きの変動又は該被観察者の観察部位において観察者が所望する観察方向の変動に応じて前記第１ミラーを回転させることにより、前記観察者の頭と手との相対的な位置が真っ直ぐな観察姿勢を保持した状態で、該接眼鏡筒を介して該被観察者の同じ方向からの観察像又は該被観察者の観察部位において該観察者が所望する任意の観察方向からの観察像を観察できるようにした口腔観察装置であって、
前記第１筐体に対して被観察者側に、該第１筐体との相対的位置を変動可能に配置され、被観察者からの光を偏向する第３ミラーと前記第３ミラーで偏向された前記被観察者からの光を前記第１ミラーへ偏向する第４ミラーを内部に備えた第２筐体をさらに有してなり、
前記被観察者を観察するための光路上には、被観察者側から順に、前記第３ミラーと、前記第４ミラーと、前記第１ミラーと前記第２ミラーと前記接眼鏡筒が配置され、
前記第３ミラーが、入射光軸と出射光軸との交点又は交点近傍を通る軸を中心として、前記第２筐体に対して回転可能に構成され、
前記第１筐体、前記第２ミラー、前記接眼鏡筒及び前記第４ミラーを静止させた状態で、前記被観察者の向きの変動又は該被観察者の観察部位において観察者が所望する観察方向の変動に応じて、前記第３ミラー及び前記第１ミラーを回転させることにより、該接眼鏡筒を介して前記観察者の頭と手との相対的な位置が真っ直ぐな観察姿勢を保持した状態で、該被観察者の同じ方向からの観察像又は該被観察者の観察部位において該観察者が所望する任意の観察方向からの観察像を観察できるようにした
ことを特徴とする口腔観察装置。
【請求項２】
前記第２筐体は、前記第１筐体に対して、前記第１ミラーの中心を上下方向に通る軸を中心として回転可能に取り付けられていることを特徴とする請求項１に記載の口腔観察装置。
【請求項３】
前記第２筐体は、前記第１筐体に対して、所定方向にスライド可能に取り付けられていることを特徴とする請求項１に記載の口腔観察装置。
【請求項４】
前記第２筐体は、前記被観察者からの光が直接的に前記第１ミラーへ入射する第１光路と前記被観察者からの光が直接的に前記第３ミラーへ入射する第２光路のうちのいずれか一方の光路を選択可能な光路選択手段を備え、
前記光路選択手段を介して前記第１光路を選択したときには、前記第１筐体、前記第２ミラー及び前記接眼鏡筒を静止させた状態で、前記被観察者の向きの変動又は該被観察者の観察部位において観察者が所望する観察方向の変動に応じて前記第１ミラーを回転させることにより、前記観察者の頭と手との相対的な位置が真っ直ぐな観察姿勢を保持した状態で、該接眼鏡筒を介して該被観察者の同じ方向からの観察像又は該被観察者の観察部位において該観察者が所望する任意の観察方向からの観察像を観察でき、
前記光路選択手段を介して前記第２光路を選択したときには、前記第１筐体、前記第２ミラー、前記接眼鏡筒及び前記第４ミラーを静止させた状態で、前記被観察者の向きの変動又は該被観察者の観察部位において前記観察者が所望する観察方向の変動に応じて、前記第３ミラー及び前記第１ミラーを回転させることにより、該観察者の頭と手との相対的な位置が真っ直ぐな観察姿勢を保持した状態で、該接眼鏡筒を介して該被観察者の同じ方向からの観察像又は該被観察者の観察部位において該観察者が所望する任意の観察方向からの観察像を観察できるようにしたことを特徴とする請求項１〜３のいずれかに記載の口腔観察装置。
【請求項５】
前記第２筐体が、前記第１筐体に対して着脱可能に構成されていることを特徴とする請求項１〜４のいずれかに記載の口腔観察装置。
【請求項６】
前記第１ミラーにおける入射光軸及び出射光軸を含む仮想平面に対して垂直な軸上に接続され、且つ、前記第１筐体に回転可能に設けられた第１回転軸と、前記第１ミラーに接続し、その一端が把持可能に構成された第１把持部と、を備え、前記第１把持部を把持しながら前記第１筐体に対して前記第１ミラーを回転させることが可能な第１回転操作部を有することを特徴とする請求項１〜５のいずれかに記載の口腔観察装置。
【請求項７】
前記第１ミラーにおける入射光軸及び出射光軸を含む仮想平面に対して平行な軸上に接続され、且つ、前記第１筐体に回転可能に設けられた第１回転軸と、前記第１ミラーに接続し、その一端が把持可能に構成された第１把持部と、を備え、前記第１把持部を把持しながら前記第１筐体に対して前記第１ミラーを回転させることが可能な第１回転操作部を有することを特徴とする請求項１〜５のいずれかに記載の口腔観察装置。
【請求項８】
前記第１ミラーにおける入射光軸と出射光軸との交点近傍に接続された回転部を有し、該回転部を中心として該第１ミラーを３次元方向に回転させることができるように前記第１筐体に設けられた第１回転軸と、前記第１ミラーに接続し、その一端が把持可能に構成された第１把持部と、を備え、前記第１把持部を把持しながら前記第１筐体に対して前記第１ミラーを３次元方向に回転させることが可能な第１回転操作部を有することを特徴とする請求項１〜５のいずれかに記載の口腔観察装置。
【請求項９】
前記第３ミラーにおける入射光軸及び出射光軸を含む仮想平面に対して垂直な軸上に接続され、且つ、前記第２筐体に回転可能に設けられた第２回転軸と、前記第３ミラーに接続し、その一端が把持可能に構成された第２把持部と、を備え、前記第２把持部を把持しながら前記第２筐体に対して前記第３ミラーを回転させることが可能な第２回転操作部を有することを特徴とする請求項１〜５のいずれかに記載の口腔観察装置。
【請求項１０】
前記第１ミラーにおける入射光軸及び出射光軸を含む仮想平面に対して垂直な軸上に接続された第１回転軸と、前記第１回転軸を回転可能に配置された第１モータと、前記第１筐体の外部に設けられていて前記第１モータの駆動を制御する第１スイッチと、を備え、前記第１スイッチを介して前記第１筐体に対して前記第１ミラーを回転させることが可能な第１回転操作部を有することを特徴とする請求項１〜５のいずれかに記載の口腔観察装置。
【請求項１１】
前記第１ミラーにおける入射光軸及び出射光軸を含む仮想平面に対して平行な軸上に接続された第１回転軸と、前記第１回転軸を回転可能に配置された第１モータと、前記第１筐体の外部に設けられていて前記第１モータの駆動を制御する第１スイッチと、を備え、前記第１スイッチを介して前記第１筐体に対して前記第１ミラーを回転させることが可能な第１回転操作部を有することを特徴とする請求項１〜５のいずれかに記載の口腔観察装置。
【請求項１２】
前記第３ミラーにおける入射光軸及び出射光軸を含む仮想平面に対して垂直な軸上に接続された第２回転軸と、前記第２回転軸を回転可能に配置された第２モータと、前記第２筐体の外部に設けられていて前記第２モータの駆動を制御する第２スイッチと、を備え、前記第２スイッチを介して前記第２筐体に対して前記第３ミラーを回転させることが可能な第２回転操作部を有することを特徴とする請求項１〜５のいずれかに記載の口腔観察装置。
【請求項１３】
前記第１ミラー及び前記第２ミラーが、金属製鏡からなることを特徴とする請求項１〜１２のいずれかに記載の口腔観察装置。
【請求項１４】
前記第１ミラー及び前記第２ミラーが、樹脂製表面反射鏡からなることを特徴とする請求項１〜１２のいずれかに記載の口腔観察装置。
【請求項１５】
前記第３ミラー及び前記第４ミラーが、金属製鏡からなることを特徴とする請求項１〜５、９、１２のいずれかに記載の口腔観察装置。
【請求項１６】
前記第１筐体が、射出成形された樹脂材料からなることを特徴とする請求項１〜１５のいずれかに記載の口腔観察装置。
【請求項１７】
前記第２筐体が、射出成形された樹脂材料からなることを特徴とする請求項１〜５、９、１２、１５のいずれかに記載の口腔観察装置。
【請求項１８】
前記第１筐体が、任意の方向に曲げ可能に構成された支柱に保持されていることを特徴とする請求項１〜１７のいずれかに記載の口腔観察装置。
【請求項１９】
さらに、前記第１筐体における被観察者からの光を前記第１ミラーに入射させるための開口部に防塵用の透明板状部材を備えたことを特徴とする請求項１〜１８のいずれかに記載の口腔観察装置。
【請求項２０】
さらに、前記第２筐体における被観察者からの光を前記第３ミラー又は前記第１ミラーに入射させるための開口部に防塵用の透明板状部材を備えたことを特徴とする請求項１〜５、９、１２、１５、１７のいずれかに記載の口腔観察装置。
【請求項２１】
さらに、前記第１筐体における、被観察者からの光を前記第１ミラーに入射させるための開口部の近傍に、該被観察者を照明するためのＬＥＤを備えたことを特徴とする請求項１〜２０のいずれかに記載の口腔観察装置。
【請求項２２】
さらに、前記第２筐体における、被観察者からの光を前記第３ミラー又は前記第１ミラーに入射させるための開口部の近傍に、該被観察者を照明するためのＬＥＤを備えたことを特徴とする請求項１〜５、９、１２、１５、１７、２０のいずれかに記載の口腔観察装置。
【請求項２３】
前記第１筐体の開口部に、前記第１ミラーの中心を上下方向に通る軸を中心として２次元方向に回転可能な２次元方向回転部を備え、
前記２次元方向回転部は、前記第１筐体における開口部近傍の底面を環状の軌跡を描いて回転するスラスト玉軸受部と、上端が前記スラスト玉軸受部に接続し、前記第１筐体における開口部近傍の内側面を回転するラジアル玉軸受部と、前記ラジアル玉軸受部の下端に接続し、前記第２筐体を保持する第２筐体保持部と、を有することを特徴とする請求項２に記載の口腔観察装置。
【請求項２４】
前記第２筐体保持部は、前記第２筐体の上部板面内側を保持する板面部と、前記板面部において前記第１筐体の開口部を挟んで少なくとも２つ設けられた凸条部とを備え、
前記第２筐体は、前記２次元方向回転部を側方から挿入可能な切欠き部と、前記切欠き部の下側面に設けられた、前記夫々の凸条部を嵌入可能な複数の凹溝部とを備え、
前記夫々の凸条部に前記夫々の凹溝部を嵌め入れ・抜き出しすることで、前記第２筐体が前記第１筐体に対し着脱可能に構成されていることを特徴とする請求項２３に記載の口腔観察装置。
【請求項２５】
前記第２筐体の開口部は、前記被観察者からの光が直接的に前記第１ミラーへ入射する第１領域と、前記被観察者からの光が直接的に前記第３ミラーへ入射する第２領域を有し、
前記光路選択手段は、前記第１領域と前記第２領域のいずれか一方の領域を覆うことの可能な遮光部材からなることを特徴とする請求項４に記載の口腔観察装置。
【請求項２６】
前記第１筐体は、さらに、観察者により前記接眼鏡筒を介して拡大観察される前記被観察者からの光による像を撮像するビデオカメラを内蔵することを特徴とする請求項１〜２５のいずれかに記載の口腔観察装置。
【請求項２７】
前記第１筐体に、前記防塵用の透明板状部材に付着する汚れを除去するエアー式ワイパーを備えることを特徴とする請求項１９に記載の口腔観察装置。
【請求項２８】
前記第２筐体に、前記防塵用の透明板状部材に付着する汚れを除去するエアー式ワイパーを備えることを特徴とする請求項２０に記載の口腔観察装置。
【発明の詳細な説明】
【技術分野】
【０００１】  本発明は、例えば、歯科治療や、口腔外科における顎の骨の手術において、歯科医師や外科医が患者の口腔を拡大観察するために用いる口腔観察装置に関する。
【背景技術】
【０００２】  従来、口腔観察装置は、例えば、特許文献１に記載のように、多数のレンズとプリズムを備え、強度と精密性を維持するために頑強な金属製の鏡体内にこれらのレンズとプリズムを収納している。
このため、鏡体が非常に重くなり、臨床上での使用において、例えば術者である歯科医師が眼の高さで自由に操作するには、例えば、特許文献２〜４に記載のような、鏡体を支持するための、さらに頑丈な金属製の可動アーム及び可動アームを支持する支柱が必要となっている。【０００３】  しかし、このように鏡体が非常に重く、鏡体を支持するために頑丈な可動アーム及び支柱を備えた従来の口腔観察装置は、非常に高価である上、術者を補助する補助者である歯科衛生士のスペースが支柱や可動アームによって大幅に制限されてしまうといった問題があった。
補助者（歯科衛生士）のスペースを確保するための方策としては、支柱を設けずに天井から鏡体を吊るすことが考えられるが、天井から鏡体を吊るす方法には、建物本体との接続工事が大掛かりなものとなってしまう為、保険診療に見合わない診療方法となってしまうという問題がある。【０００４】  また、従来、鏡体をコンパクト且つ低コスト化することを目的とした観察装置として、例えば、次の特許文献５に記載の観察装置が提案されている。
特許文献５に記載の観察装置は、対物光学系からの光線が入射する固定鏡筒に対し接眼鏡筒を回転可能とした傾斜角度可変鏡筒において、接眼鏡筒の回転量の１／２の回転量をもって接眼鏡筒と同心に回転する回転ミラーを介して、対物光学系からの光線を接眼鏡筒内に入射させるように構成されている。【０００５】  また、従来、スムーズに回転・移動が可能な観察装置として、例えば、次の特許文献６に記載の手術用観察装置が提案されている。
特許文献６に記載の観察装置は、接眼ユニットと、対物レンズ及び変倍ユニットを有する筒ユニットと、インターフェースユニットとを備え、インターフェースユニットを介して接眼ユニットを静止させた状態で、筒ユニットを回転させることができるように構成されている。
【先行技術文献】
【特許文献】
【０００６】
【特許文献１】特開２００２−２０２４６０号公報
【特許文献２】特開２０１１−３０７２６号公報
【特許文献３】特開２００３−２７５２２２号公報
【特許文献４】特開２０１１−２５０２８号公報
【特許文献５】特開２００１−４２２２７号公報
【特許文献６】２００４−１６７２４０号公報
【発明の概要】
【発明が解決しようとする課題】
【０００７】  歯科等における口腔内の治療は、非常に狭くて見難い部位を対象としている。このため、術者は狭くて見難い部位を観察する際に観察姿勢を変形させ易い。しかし、治療に際し、術者が観察姿勢を変形させた状態で、観察対象を集中して観察し続けると、術者に及ぼす肉体的・精神的な負担が非常に大きくなる。
このため、歯科治療における口腔内の治療に際しては、術者が観察姿勢を真っ直ぐに固定させた状態で精密な観察と治療に集中できることが必要である。【０００８】  しかし、特許文献２〜４に記載のような口腔観察装置において、可動アームを用いて患者の口腔を観察する場合、患者が向きを変えたときには、アームの位置を移動して観察を行う必要があるが、接眼鏡筒は鏡体に一体的に取り付けられており、アームを介して鏡体を移動する度に接眼鏡筒が移動するため、観察者である術者は、観察姿勢の変形を余儀なくされてしまう。【０００９】  また、特許文献５に記載の観察装置も、観察対象の向きの変動に伴って接眼鏡筒を大きく変動させる必要があるため、歯科治療における術者の観察姿勢を一定に保つことができない。【００１０】  これに対し、特許文献６に記載の観察装置は、接眼ユニットを静止させた状態で、筒ユニットを回転させることができる構成により、術者の頭、術者の作業ポジションのいずれかを変動させることなく、向きの変動する観察対象を同じ方向から観察しながら手術を行うことができる。【００１１】  しかし、特許文献６に記載の観察装置のような接眼ユニットを静止させた状態で、筒ユニットを回転させる構成では、観察対対象の向きが変動した場合、術者の頭と作業ポジションのいずれか一方を変動させなければならないため、術者の手術時の重心が変位し、術者は頭と手の位置が正中ずれを起こした無理もしくは不自然な姿勢を強いられてしまう。そのような正中ずれを起こした姿勢で長時間手術を行うと肉体的負担が大きくなり、健康を損ねる原因となり易い。【００１２】  本発明は、上記問題点を鑑みてなされたものであり、装置全体を小型・軽量化でき、且つ、被観察者の向きの変動又は被観察者の観察部位において観察者が所望する観察方向の変動に追従して、観察者の頭と手との相対的な位置が真っ直ぐな観察姿勢を保持した状態で、観察可能な口腔観察装置を提供することを目的とする。
【課題を解決するための手段】
【００１３】  上記目的を達成するため、本発明による口腔観察装置は、被観察者からの光を偏向する第１ミラーと前記第１ミラーで偏向された前記被観察者からの光を偏向する第２ミラーを内部に備えた第１筐体と、前記第１筐体に接続されていて、前記第２ミラーで偏向された前記被観察者からの光による像を観察者が拡大観察可能な拡大鏡を備えた接眼鏡筒と、を有してなり、前記被観察者を観察するための光路上には、被観察者側から順に、前記第１ミラーと前記第２ミラーと前記接眼鏡筒が配置され、前記第１ミラーが、入射光軸と出射光軸との交点又は交点近傍を通る軸を中心として、前記第１筐体に対して回転可能に構成され、前記第１筐体、前記第２ミラー及び前記接眼鏡筒を静止させた状態で、前記被観察者の向きの変動又は該被観察者の観察部位において観察者が所望する観察方向の変動に応じて前記第１ミラーを回転させることにより、前記観察者の頭と手との相対的な位置が真っ直ぐな観察姿勢を保持した状態で、該接眼鏡筒を介して該被観察者の同じ方向からの観察像又は該被観察者の観察部位において該観察者が所望する任意の観察方向からの観察像を観察できるようにした口腔観察装置であって、前記第１筐体に対して被観察者側に、該第１筐体との相対的位置を変動可能に配置され、被観察者からの光を偏向する第３ミラーと前記第３ミラーで偏向された前記被観察者からの光を前記第１ミラーへ偏向する第４ミラーを内部に備えた第２筐体をさらに有してなり、前記被観察者を観察するための光路上には、被観察者側から順に、前記第３ミラーと、前記第４ミラーと、前記第１ミラーと前記第２ミラーと前記接眼鏡筒が配置され、前記第３ミラーが、入射光軸と出射光軸との交点又は交点近傍を通る軸を中心として、前記第２筐体に対して回転可能に構成され、前記第１筐体、前記第２ミラー、前記接眼鏡筒及び前記第４ミラーを静止させた状態で、前記被観察者の向きの変動又は該被観察者の観察部位において観察者が所望する観察方向の変動に応じて、前記第３ミラー及び前記第１ミラーを回転させることにより、該接眼鏡筒を介して前記観察者の頭と手との相対的な位置が真っ直ぐな観察姿勢を保持した状態で、該被観察者の同じ方向からの観察像又は該被観察者の観察部位において該観察者が所望する任意の観察方向からの観察像を観察できるようにしたことを特徴としている。【００１５】  また、本発明の口腔観察装置においては、前記第２筐体は、前記第１筐体に対して、前記第１ミラーの中心を上下方向に通る軸を中心として回転可能に取り付けられているのが好ましい。【００１６】  また、本発明の口腔観察装置においては、前記第２筐体は、前記第１筐体に対して、所定方向にスライド可能に取り付けられているのが好ましい。【００１７】  また、本発明の口腔観察装置においては、前記第２筐体は、前記被観察者からの光が直接的に前記第１ミラーへ入射する第１光路と前記被観察者からの光が直接的に前記第３ミラーへ入射する第２光路のうちのいずれか一方の光路を選択可能な光路選択手段を備え、前記光路選択手段を介して前記第１光路を選択したときには、前記第１筐体、前記第２ミラー及び前記接眼鏡筒を静止させた状態で、前記被観察者の向きの変動又は該���観察者の観察部位において観察者が所望する観察方向の変動に応じて前記第１ミラーを回転させることにより、前記観察者の頭と手との相対的な位置が真っ直ぐな観察姿勢を保持した状態で、該接眼鏡筒を介して該被観察者の同じ方向からの観察像又は該被観察者の観察部位において該観察者が所望する任意の観察方向からの観察像を観察でき、前記光路選択手段を介して前記第２光路を選択したときには、前記第１筐体、前記第２ミラー、前記接眼鏡筒及び前記第４ミラーを静止させた状態で、前記被観察者の向きの変動又は該被観察者の観察部位において前記観察者が所望する観察方向の変動に応じて、前記第３ミラー及び前記第１ミラーを回転させることにより、該観察者の頭と手との相対的な位置が真っ直ぐな観察姿勢を保持した状態で、該接眼鏡筒を介して該被観察者の同じ方向からの観察像又は該被観察者の観察部位において該観察者が所望する任意の観察方向からの観察像を観察できるようにするのが好ましい。【００１８】  また、本発明の口腔観察装置においては、前記第２筐体が、前記第１筐体に対して着脱可能に構成されているのが好ましい。【００１９】  また、本発明の口腔観察装置においては、前記第１ミラーにおける入射光軸及び出射光軸を含む仮想平面に対して垂直な軸上に接続され、且つ、前記第１筐体に回転可能に設けられた第１回転軸と、前記第１ミラーに接続し、その一端が把持可能に構成された第１把持部と、を備え、前記第１把持部を把持しながら前記第１筐体に対して前記第１ミラーを回転させることが可能な第１回転操作部を有するのが好ましい。【００２０】  また、本発明の口腔観察装置においては、前記第１ミラーにおける入射光軸及び出射光軸を含む仮想平面に対して平行な軸上に接続され、且つ、前記第１筐体に回転可能に設けられた第１回転軸と、前記第１ミラーに接続し、その一端が把持可能に構成された第１把持部と、を備え、前記第１把持部を把持しながら前記第１筐体に対して前記第１ミラーを回転させることが可能な第１回転操作部を有するのが好ましい。【００２１】  また、本発明の口腔観察装置においては、前記第１ミラーにおける入射光軸と出射光軸との交点近傍に接続された回転部を有し、該回転部を中心として該第１ミラーを３次元方向に回転させることができるように前記第１筐体に設けられた第１回転軸と、前記第１ミラーに接続し、その一端が把持可能に構成された第１把持部と、を備え、前記第１把持部を把持しながら前記第１筐体に対して前記第１ミラーを３次元方向に回転させることが可能な第１回転操作部を有するのが好ましい。【００２２】  また、本発明の口腔観察装置においては、前記第３ミラーにおける入射光軸及び出射光軸を含む仮想平面に対して垂直な軸上に接続され、且つ、前記第２筐体に回転可能に設けられた第２回転軸と、前記第３ミラーに接続し、その一端が把持可能に構成された第２把持部と、を備え、前記第２把持部を把持しながら前記第２筐体に対して前記第３ミラーを回転させることが可能な第２回転操作部を有するのが好ましい。【００２３】  また、本発明の口腔観察装置においては、前記第１ミラーにおける入射光軸及び出射光軸を含む仮想平面に対して垂直な軸上に接続された第１回転軸と���前記第１回転軸を回転可能に配置された第１モータと、前記第１筐体の外部に設けられていて前記第１モータの駆動を制御する第１スイッチと、を備え、前記第１スイッチを介して前記第１筐体に対して前記第１ミラーを回転させることが可能な第１回転操作部を有するのが好ましい。【００２４】  また、本発明の口腔観察装置においては、前記第１ミラーにおける入射光軸及び出射光軸を含む仮想平面に対して平行な軸上に接続された第１回転軸と、前記第１回転軸を回転可能に配置された第１モータと、前記第１筐体の外部に設けられていて前記第１モータの駆動を制御する第１スイッチと、を備え、前記第１スイッチを介して前記第１筐体に対して前記第１ミラーを回転させることが可能な第１回転操作部を有するのが好ましい。【００２５】  また、本発明の口腔観察装置においては、前記第３ミラーにおける入射光軸及び出射光軸を含む仮想平面に対して垂直な軸上に接続された第２回転軸と、前記第２回転軸を回転可能に配置された第２モータと、前記第２筐体の外部に設けられていて前記第２モータの駆動を制御する第２スイッチと、を備え、前記第２スイッチを介して前記第２筐体に対して前記第３ミラーを回転させることが可能な第２回転操作部を有するのが好ましい。【００２６】  また、本発明の口腔観察装置においては、前記第１ミラー及び前記第２ミラーが、金属製鏡からなるのが好ましい。【００２７】  また、本発明の口腔観察装置においては、前記第１ミラー及び前記第２ミラーが、樹脂製表面反射鏡からなるのが好ましい。【００２８】  また、本発明の口腔観察装置においては、前記第３ミラー及び前記第４ミラーが、金属製鏡からなるのが好ましい。【００２９】  また、本発明の口腔観察装置においては、前記第１筐体が、射出成形された樹脂材料からなるのが好ましい。【００３０】  また、本発明の口腔観察装置においては、前記第２筐体が、射出成形された樹脂材料からなるのが好ましい。【００３１】  また、本発明の口腔観察装置においては、前記第１筐体が、任意の方向に曲げ可能に構成された支柱に保持されているのが好ましい。【００３２】  また、本発明の口腔観察装置においては、さらに、前記第１筐体における被観察者からの光を前記第１ミラーに入射させるための開口部に防塵用の透明板状部材を備えるのが好ましい。【００３３】  また、本発明の口腔観察装置においては、さらに、前記第２筐体における被観察者からの光を前記第３ミラー又は前記第１ミラーに入射させるための開口部に防塵用の透明板状部材を備えるのが好ましい。【００３４】  また、本発明の口腔観察装置においては、さらに、前記第１筐体における、被観察者からの光を前記第１ミラーに入射させるための開口部の近傍に、該被観察者を照明するためのＬＥＤを備えるのが好ましい。【００３５】  また、本発明の口腔観察装置においては、さらに、前記第２筐体における、被観察者からの光を前記第３ミラー又は前記第１ミラーに入射させるための開口部の近傍に、該被観察者を照明するためのＬＥＤを備えるのが好ましい。【００３６】  また、本発明の口腔観察装置においては、前記第１筐体の開口部に、前記第１ミラーの中心を上下方向に通る軸を中心として２次元方向に回転可��な２次元方向回転部を備え、前記２次元方向回転部は、前記第１筐体における開口部近傍の底面を環状の軌跡を描いて回転するスラスト玉軸受部と、上端が前記スラスト玉軸受部に接続し、前記第１筐体における開口部近傍の内側面を回転するラジアル玉軸受部と、前記ラジアル玉軸受部の下端に接続し、前記第２筐体を保持する第２筐体保持部と、を有するのが好ましい。【００３７】  また、本発明の口腔観察装置においては、前記第２筐体保持部は、前記第２筐体の上部板面内側を保持する板面部と、前記板面部において前記第１筐体の開口部を挟んで少なくとも２つ設けられた凸条部とを備え、前記第２筐体は、前記２次元方向回転部を側方から挿入可能な切欠き部と、前記切欠き部の下側面に設けられた、前記夫々の凸条部を嵌入可能な複数の凹溝部とを備え、前記夫々の凸条部に前記夫々の凹溝部を嵌め入れ・抜き出しすることで、前記第２筐体が前記第１筐体に対し着脱可能に構成するのが好ましい。【００３８】  また、本発明の口腔観察装置においては、前記第２筐体の開口部は、前記被観察者からの光が直接的に前記第１ミラーへ入射する第１領域と、前記被観察者からの光が直接的に前記第３ミラーへ入射する第２領域を有し、前記光路選択手段は、前記第１領域と前記第２領域のいずれか一方の領域を覆うことの可能な遮光部材からなるのが好ましい。【００３９】  また、本発明の口腔観察装置においては、前記第１筐体は、さらに、観察者により前記接眼鏡筒を介して拡大観察される前記被観察者からの光による像を撮像するビデオカメラを内蔵するのが好ましい。【００４０】  また、本発明の口腔観察装置においては、前記第１筐体に、前記防塵用の透明板状部材に付着する汚れを除去するエアー式ワイパーを備えるのが好ましい。【００４１】  また、本発明の口腔観察装置においては、前記第２筐体に、前記防塵用の透明板状部材に付着する汚れを除去するエアー式ワイパーを備えるのが好ましい。
【発明の効果】
【００４２】  本発明の口腔観察装置によれば、装置全体を小型・軽量化でき、且つ、被観察者の向きの変動又は被観察者の観察部位において観察者が所望する観察方向の変動に追従して、観察者の頭と手との相対的な位置が真っ直ぐな観察姿勢を保持した状態で、観察可能な口腔観察装置が得られる。
【図面の簡単な説明】
【００４３】
【図１】  本発明の参考例としての実施例１にかかる口腔観察装置の構成を概念的に示す説明図である。
【図２】  図１の口腔観察装置における第１ミラーの第１筐体に対して回転可能な構成の一具体例を示す説明図で、（ａ）は要部平面図、（ｂ）は（ａ）のＡ−Ａ断面図、（ｃ）は（ａ）のＢ−Ｂ断面図である。
【図３】  図１の口腔観察装置における第１ミラーの第１筐体に対して回転可能な構成の変形例を示す説明図で、（ａ）は要部平面図、（ｂ）は（ａ）のＡ−Ａ断面図、（ｃ）は（ａ）のＢ−Ｂ断面図である。
【図４】  図１の口腔観察装置における第１ミラーの第１筐体に対して回転可能な構成のさらに他の変形例を示す説明図で、（ａ）は要部平面図、（ｂ）は（ａ）のＡ−Ａ断面図、（ｃ）は（ａ）のＢ−Ｂ断面図である。
【図５】  図１の口腔観察装置における要部の機能を概念的に示す説明図で、（ａ）は被観察者が口腔観察装置に対して正面を向いた状態において第２ミラーに被観察者（の口腔部）の正面の像が映るように第１ミラーの向きを調整したときの状態を示す図、（ｂ）は被観察者が口腔観察装置に対して斜め側方を向いた状態において第２ミラーに被観察者（の口腔部）の正面の像が映るように第１ミラーの向きを調整したときの状態を示す図である。
【図６】  図１の口腔観察装置を用いて被観察者を観察する場合における被観察者の向き及び観察位置と第１ミラーの回転方向との関係を原理的に示す説明図で、（ａ）は被観察者（の口腔部）が所定の基準位置で口腔観察装置に対して正面を向いた状態において、第１ミラーを所定量回転させて、第２ミラーに被観察者（の口腔部）の正面の像が映るようにしたときの状態を示す図、（ｂ）は（ａ）の状態から被観察者（の口腔部）が所定角度−２α°斜めを向き且つ位置を所定量＋ｍスライドした状態において、第１ミラーを−α°回転させて、第２ミラーに被観察者（の口腔部）の正面の像が映るようにしたときの状態を示す図、（ｃ）は（ａ）の状態から被観察者（の口腔部）が所定角度＋２α°斜めを向き且つ位置を所定量−ｍスライドした状態において、第１ミラーを＋α°回転させて、第２ミラーに被観察者の正面の像が映るようにしたときの状態を示す図である。
【図７】  図１の口腔観察装置を用いて被観察者を観察する場合における被観察者の向き及び観察位置と第１ミラーの回転方向との関係を原理的に示す説明図で、（ａ）は被観察者（の口腔部）が口腔観察装置に対して図６（ａ）に示す位置を基準として９０度回転し且つ正面を向いた状態において、第１ミラーを所定量回転させて、第２ミラーに被観察者（の口腔部）の正面の像が映るようにしたときの状態を示す図、（ｂ）は（ａ）の状態から被観察者（の口腔部）が所定角度−２β°斜めを向き且つ位置を所定量Ｌスライドした状態において、第１ミラーを−β°回転させて、第２ミラーに被観察者（の口腔部）の正面の像が映るようにしたときの状態を示す図、（ｃ）は（ａ）の状態から被観察者（の口腔部）が所定角度＋２β°斜めを向き且つ位置を所定量−Ｌスライドした状態において、第１ミラーを＋β°回転させて、第２ミラーに被観察者の正面の像が映るようにしたときの状態を示す図である。
【図８】  本発明の実施例２にかかる口腔観察装置の構成を概念的に示す説明図である。
【図９】  図８の口腔観察装置における第２筐体の第１筐体に対して回転可能な構成の具体例を示す説明図で、（ａ）は概略断面図、（ｂ）は要部平面図、（ｃ）は要部側面図である。
【図１０】  図８の口腔観察装置における第３ミラーの第２筐体に対して回転可能な構成の一具体例を示す説明図で、（ａ）は要部平面図、（ｂ）は（ａ）のＡ−Ａ断面図、（ｃ）は側面図である。
【図１１】  図８の口腔観察装置における第３ミラーの第２筐体に対して回転可能な構成の変形例を示す説明図で、（ａ）は要部平面図、（ｂ）は（ａ）のＡ−Ａ断面図である。
【図１２】  図８の口腔観察装置における光路選択手段による光路の選択状態を示す説明図で、（ａ）は第２光路を選択したときの状態を示す図、（ｂ）は第１光路を選択したときの状態を示す図である。
【図１３】  図８の口腔観察装置における要部の機能を概念的に示す説明図で、被観察者が口腔観察装置に対して斜め側方を向いた状態において第２ミラーに被観察者（の口腔部）の正面の像が映るように第３ミラー及び第１ミラーの向きを調整したときの状態を示す図である。
【図１４】  図８の口腔観察装置における第１筐体に対する第２筐体の相対的な向きを示す説明図で、（ａ）は第１筐体に対し第２筐体が組み合わさった状態を示す図、（ｂ）は（ａ）に示す第１筐体に組み合わさる第２筐体の向きの一例を示す図、（ｃ）は（ａ）に示す第１筐体に組み合わさる第２筐体の向きの他の例を示す図、（ｄ）は（ｃ）の向きで第２筐体を組み合わせた状態における、被観察者の観察可能部位の一例を示す説明図であって、第２筐体の長手方向が第１筐体の長手方向に沿うように、第２筐体を回転させて、被観察者の上顎を観察するときの状態を概念的に示す光路図である。
【図１５】  図８の口腔観察装置を用いて被観察者を観察する場合における被観察者の向きと第１ミラー及び第３ミラーの回転方向との関係を原理的に示す説明図で、（ａ）は被観察者（の口腔部）が図６（ａ）の状態から位置をスライドすることなく所定角度−２α°斜めを向いた状態において、第３ミラーを所定角度回転させるとともに第１ミラーを−α°回転させて、第２ミラーに被観察者（の口腔部）の正面の像が映るようにしたときの状態を示す図、（ｂ）は被観察者（の口腔部）が図６（ａ）の状態から位置をスライドすることなく所定角度−４α°斜めを向いた状態において、第３ミラーを所定角度回転させるとともに第１ミラーを−（１／２）Ａ°回転させて、第２ミラーに被観察者（の口腔部）の正面の像が映るようにしたときの状態を示す図、（ｃ）は被観察者（の口腔部）が図６（ａ）の状態から位置をスライドすることなく所定角度−α°斜めを向いた状態において、第３ミラーを所定角度回転させるとともに第１ミラーを−（１／２）Ｂ°回転させて、第２ミラーに被観察者（の口腔部）の正面の像が映るようにしたときの状態を示す図、（ｄ）は被観察者（の口腔部）が図６（ａ）の状態から位置をスライドすることなく所定角度＋２α°斜めを向いた状態において、第２筐体を第１ミラーの中心を上下方向に通る軸を中心として１８０度回転させ、さらに、第３ミラーを所定角度回転させるとともに第１ミラーを＋α°回転させて、第２ミラーに被観察者（の口腔部）の正面の像が映るようにしたときの状態を示す図である。
【図１６】  図８の口腔観察装置を用いて被観察者を観察する場合における被観察者の向きと第１ミラー及び第３ミラーの回転方向との関係を原理的に示す説明図で、（ａ）は被観察者（の口腔部）が口腔観察装置に対して図６（ａ）に示す位置を基準として９０度回転し且つ所定角度−２β°斜めを向いた状態において、第３ミラーを所定角度回転させるとともに第１ミラーを−β°回転させて、第２ミラーに被観察者（の口腔部）の正面の像が映るようにしたときの状態を示す図、（ｂ）は被観察者（の口腔部）が口腔観察装置に対して図６（ａ）に示す位置を基準として９０度回転し且つ所定角度＋２β°斜めを向いた状態において、第３ミラーを所定角度回転させるとともに第１ミラーを＋β°回転させて、第２ミラーに被観察者（の口腔部）の正面の像が映るようにしたときの状態を示す図である。
【図１７】  実施例２の一変形例にかかる口腔観察装置の要部構成を示す説明図で、（ａ）は斜視図、（ｂ）は第１筐体に対する第２筐体の取り付け状態を示す図である。
【図１８】  実施例２の他の変形例にかかる口腔観察装置の要部構成を示す説明図で、（ａ）は上方から見た図、（ｂ）は斜視図である。
【図１９】  一般的な歯科治療における歯科医師（術者）と、術者を補助する歯科衛生士（補助者）と、患者との相対的な位置関係を概念的に示す平面配置図である。
【図２０】  歯科治療中の歯科医が日常的に強いられている変形姿勢の一例を示す説明図である。
【図２１】  特許文献６に記載の手術用観察装置における筒ユニットを接眼ユニットに対して回転させる一つの状態を示す説明図である。
【図２２】  特許文献６に記載の手術用観察装置における筒ユニットを接眼ユニットに対して回転させたときの術者と患者との位置関係を示す説明図で、（ａ）はその一例を示す図、（ｂ）は他の例を示す図である。
【発明を実施するための形態】
【００４４】  実施例の説明に先立ち、本発明の作用効果について説明する。
本発明の口腔観察装置は、被観察者からの光を偏向する第１ミラーと第１ミラーで偏向された被観察者からの光を偏向する第２ミラーを内部に備えた第１筐体と、第１筐体に接続されていて、第２ミラーで偏向された被観察者からの光による像を観察者が拡大観察可能な拡大鏡を備えた接眼鏡筒と、を有してなり、被観察者を観察するための光路上には、被観察者側から順に、第１ミラーと第２ミラーと接眼鏡筒が配置され、第１ミラーが、入射光軸と出射光軸との交点又は交点近傍を通る軸を中心として、第１筐体に対して回転可能に構成され、第１筐体、第２ミラー及び接眼鏡筒を静止させた状態で、被観察者の向きの変動又は被観察者の観察部位において観察者が所望する観察方向の変動に応じて第１ミラーを回転させることにより、観察者の頭と手との相対的な位置が真っ直ぐな観察姿勢を保持した状態で、接眼鏡筒を介して被観察者の同じ方向からの観察像又は被観察者の観察部位において観察者が所望する任意の観察方向からの観察像を観察できるように構成されている。
【００４５】  本発明の口腔観察装置のように、被観察者を観察するための光路上に、被観察者側から順に、第１ミラーと第２ミラーと接眼鏡筒を配置し、第１ミラーが、入射光軸と出射光軸との交点又は交点近傍を通る軸を中心として、第１筐体に対して回転可能であって、第１筐体、第２ミラー及び接眼鏡筒を静止させた状態で、被観察者の向きの変動又は被観察者の観察部位において観察者が所望する観察方向の変動に応じて第１ミラーを回転させることにより、観察者の頭と手との相対的な位置が真っ直ぐな観察姿勢を保持した状態で、接眼鏡筒を介して被観察者の同じ方向からの観察像又は被観察者の観察部位において観察者が所望する任意の観察方向からの観察像を観察できるように構成すれば、被観察者が向きを変えても、又は被観察者の観察部位において観察者が所望する観察方向を変えても、被観察者の位置をスライドさせれば、観察者は観察姿勢を保持したまま第１ミラーを回転させるだけで被観察者の同じ方向からの観察像又は被観察者の観察部位において観察者が所望する任意の観察方向からの観察像を観察することができる。そして、後述する第２筐体を有して構成することにより、被観察者が向きを変えても、又は被観察者の観察部位において観察者が所望する観察方向を変えても、被観察者の位置をスライドさせることなく、観察者は頭と手との相対的な位置が真っ直ぐな観察姿勢を保持した状態で、第１ミラーを回転させるだけで被観察者の同じ方向からの観察像又は被観察者の観察部位において観察者が所望する任意の観察方向からの観察像を観察することができ、観察者の肉体的・精神的な負担を大幅に軽減することができる。
【００４６】  また、本発明の口腔観察装置のように、第１筐体内における被観察者を観察するための光路上に第１ミラーと第２ミラーのみを配置して接眼鏡筒に被観察者からの光線を導くようにすれば、従来の口腔観察装置のような多数のレンズとプリズムを備えずに済み、小型軽量化できる。その結果、強度と精密性を維持するために頑強な金属製の鏡体や、その重い鏡体を支持する頑丈な金属製の可動アーム及び可動アームを支持する支柱が不要となり、術者を補助する補助者としての歯科衛生士のスペースが大幅に拡がる。
そして、本発明の口腔観察装置のようにすれば、上述のように、小型軽量化でき、鏡体を支持する頑丈な、金属製の可動アーム及び可動アームを支持する支柱が不要となるため、製品としての価格を飛躍的に低減でき、需要者の経済的負担を格段に軽減でき、広く普及させることが可能となる。その結果、歯科治療において、歯科医による治療の精度が向上し、患者に与える肉体的負担も軽減できる。
【００４７】  また、本発明の口腔観察装置は、第１筐体に対して被観察者側に、該第１筐体との相対的位置を変動可能に配置され、被観察者からの光を偏向する第３ミラーと第３ミラーで偏向された被観察者からの光を第１ミラーへ偏向する第４ミラーを内部に備えた第２筐体をさらに有してなり、被観察者を観察するための光路上には、被観察者側から順に、第３ミラーと、第４ミラーと、第１ミラーと第２ミラーと接眼鏡筒が配置され、第３ミラーが、入射光軸と出射光軸との交点又は交点近傍を通る軸を中心として、第２筐体に対して回転可能に構成され、第１筐体、第２ミラー、接眼鏡筒及び第４ミラーを静止させた状態で、被観察者の向きの変動又は被観察者の観察部位において観察者が所望する観察方向の変動に応じて、第３ミラー及び第１ミラーを回転させることにより、観察者の頭と手との相対的な位置が真っ直ぐな観察姿勢を保持した状態で、接眼鏡筒を介して被観察者の同じ方向からの観察像又は被観察者の観察部位において観察者が所望する任意の観察方向からの観察像を観察できるようにする。
その場合、好ましくは、第２筐体は、第１筐体に対して、第１ミラーの中心を上下方向に通る軸を中心として回転可能に取り付ける。あるいは、第２筐体は、第１筐体に対して、所定方向にスライド可能に取り付ける。
このように、第２筐体をさらに有して構成し、被観察者の向きの変動又は被観察者の観察部位において観察者が所望する観察方向の変動に応じて、第３ミラー及び第１ミラーを回転させることにより、観察者の頭と手との相対的な位置が真っ直ぐな観察姿勢を保持した状態で、接眼鏡筒を介して被観察者の同じ方向からの観察像又は被観察者の観察部位において観察者が所望する任意の観察方向からの観察像を観察できるようにすれば、被観察者が向きを変えても、又は被観察者の観察部位において観察者が所望する観察方向を変えても、観察者は頭と手との相対的な位置が真っ直ぐな観察姿勢を保持した状態で、被観察者の位置をスライドさせることなく被観察者の同じ方向からの観察像又は被観察者の観察部位において観察者が所望する任意の観察方向からの観察像を観察できる。
【００４８】  この点に関し、本件出願人が着目した、口腔観察装置における従来技術における問題点と関連付けて、以下に詳しく説明する。
歯科治療では、歯科用のデンタルユニットに患者を座らせて治療を実施する。図１９に歯科治療を受ける患者と治療を行う歯科医師（術者）と、術者や患者のために照明を照射したり血液や唾液を処理したりして、術者を補助する歯科衛生士（補助者）と、患者との相対的な位置関係を概念的に示す。なお、図１９は、術者の位置を、一般の歯科医師に共通の表現方法である、患者の口（口腔）を中心とした時計回りの時刻表に基づいた数字で表している。
【００４９】  術者は、図１９に示すように、９時から１時までの範囲で位置を決めながら治療を行う。その理由は、患部の場所に応じて正確に観察するため及び必要な治療器具を操作するためである。
しかしながら、術者が、いかに位置を変えても、上顎の臼歯の齲蝕治療などの場合、当該臼歯の直上の位置から下方を観察しただけでは、齲蝕部分の内部まで観察することが難しい。そして、術者は、詳しく観察しようとすればするほど、頭を下げて患者の口腔内を覗き込むような姿勢を余儀なくされる。しかも、術者は、器具を把持する手を自由に使いこなせるようにしながら器具を操作するために、背筋を、器具を把持する手の側に倒し気味にしながら、器具を患部に当てるような変形姿勢を強いられる。歯科治療においては、術者である歯科医師は、そのような変形姿勢を強いられた操作が日常化している。図２０に歯科治療中の歯科医が日常的に強いられている変形姿勢の一例を示す。
【００５０】  しかるに、図２０に示すような変形姿勢が長時間続くと、当然ながら肉体的疲労が一部位に偏向・集中し、例えば頚部筋肉痛や椎間板ヘルニアの原因になる危険性が大きくなる。
このような危険性を回避するためには、術者の観察姿勢を頭と手との相対的な位置が真っ直ぐに保持することが必要と考えられる。
【００５１】  ここで、特許文献２〜４に記載のような鏡体を支持する可動アームを備えた観察装置を用いた場合、術者が患者の側方からの観察像を観察するには、接眼レンズ、鏡筒、対物レンズを斜めに傾ける必要があり、接眼レンズを水平に保つことができない。このため、術者は接眼レンズを覗くために首又は背筋を曲げざるを得ない。
【００５２】  一方、特許文献６に記載の手術用観察装置では、接眼ユニットを静止させた状態で、筒ユニットを回転させることができるように構成されているため、術者は、接眼ユニットを水平な状態に保ちながら、対物レンズを備えた筒ユニットを回転させることで、患者に対し斜め左右からの観察像を観察することができ、頭と作業ポジションのいずれか一方については変更することなく、向きの変動する観察対象を観察しながら手術を行うことができる。このため、特許文献６に記載の手術用観察装置を用いれば、術者は背筋を曲げることなく患者の側方から歯牙や口腔内を観察することができる。図２１に特許文献６に記載の手術用観察装置における筒ユニットを接眼ユニットに対して回転させる一つの状態を示す。
【００５３】  しかし、特許文献６に記載の手術用観察装置では、術者は、頭と作業ポジションの両方とも変更することなく、向きの変動する観察対象を観察しながら手術を行うことができない。
特許文献６に記載の手術用観察装置を使用した場合、患者が顔の向きを変えたとき又は患者の観察部位において術者が観察方向を所望の方向に変えたときに、術者の作業ポジション及び患者の顔の位置を移動させないようにすると、図２２（ａ）に示すように、術者の背筋を垂直に保ったまま、術者の観察位置（即ち、術者の頭の位置）を平行に移動させる必要が生じる。また、術者の背筋を垂直に保ったまま、術者の観察位置を移動させないようにすると、図２２（ｂ）に示すように、術者の作業ポジション及び患者の顔の位置を移動させる必要が生じる。
しかし、図２２（ａ）、図２２（ｂ）に示すように、術者の観察位置（即ち、術者の頭の位置）と、術者の作業ポジション及び患者の顔の位置のいずれか一方を移動させた場合、術者の頭の位置と術者の手との相対的位置が正中ずれを起こしてしまう。このことは術者における手術姿勢における重心がずれることを意味している。
【００５４】  術者が精密な作業を行なうためには、作業姿勢における重心の安定性が欠かせない。しかし、特許文献６に記載の手術用観察装置を用いた場合には、作業姿勢における重心のずれが生じやすい。日常的に、長時間にわたって正中ずれ（作業姿勢における重心のずれ）を起こしたまま、治療を継続した場合、術者が健康を害する虞が高くなる。
【００５５】  しかるに、本発明の口腔観察装置のように、第２筐体をさらに備え、被観察者の向きの変動又は被観察者の観察部位において観察者が所望する観察方向の変動に応じて、第３ミラー及び第１ミラーを回転させることにより、観察者の頭と手との相対的な位置が真っ直ぐな観察姿勢を保持した状態で、接眼鏡筒を介して被観察者の同じ方向からの観察像又は被観察者の観察部位において観察者が所望する任意の観察方向からの観察像を観察できるようにすれば、被観察者が向きを変えても、又は被観察者の観察部位において観察者が所望する観察方向を変えても、観察者は、頭と手との相対的位置が正中ずれを起こすことなく真っ直ぐな観察姿勢を保持した状態で、被観察者の位置を移動させることなく被観察者の同じ方向からの観察像又は被観察者の観察部位において観察者が所望する任意の観察方向からの観察像を観察することができる。その結果、術者である観察者の肉体的負担を軽減でき、健康を害する虞を未然に防止することができる。
【００５６】  また、本発明の口腔観察装置によれば、被観察者の左右の眼が第２筐体の長手方向に沿うような被観察姿勢にあるとともに、第２筐体が第１筐体に対し、互いの筐体の長手方向が一致する状態で使用したときには、第３ミラー、第１ミラーの回転により、被観察者に対する上下方向において、観察者による頭と手との相対的な位置が真っ直ぐな観察姿勢を保持したまま、被観察者の位置を移動させることなく被観察者の同じ方向からの観察像又は被観察者の観察部位において観察者が所望する任意の観察方向からの観察像を観察できる範囲を広くとることができる。また、従来、通常の観察装置では観察姿勢を保持したままでは観察が非常に難しかった被観察者の上顎についても、観察者は頭と手との相対的な位置が真っ直ぐな観察姿勢を保持したまま、被観察者の位置を移動させることなく観察像を観察できるようになる。
【００５７】  さらに、本発明の口腔観察装置のように、第１筐体に対して第２筐体を第１ミラーの中心を上下方向に通る軸を中心として回転させることができるようにすれば、被観察者が正面の向きから左右何れの方向に所定角度向きを変えても、又は被観察者の観察部位において観察者が所望する観察方向を被観察者の正面の向きに対し左右何れの方向に所定角度変えても、第２筐体を回転させることにより、観察者は頭と手との相対的な位置が真っ直ぐな観察姿勢を保持した状態で、被観察者の位置を移動させることなく被観察者の同じ方向からの観察像又は被観察者の観察部位において観察者が所望する任意の観察方向からの観察像を観察できる。
【００５８】  また、本発明の口腔観察装置においては、好ましくは、第１筐体の開口部に、第１ミラーの中心を上下方向に通る軸を中心として２次元方向に回転可能な２次元方向回転部を備え、２次元方向回転部は、第１筐体における開口部近傍の底面を環状の軌跡を描いて回転するスラスト玉軸受部と、上端がスラスト玉軸受部に接続し、第１筐体における開口部近傍の内側面を回転するラジアル玉軸受部と、ラジアル玉軸受部の下端に接続し、第２筐体を保持する第２筐体保持部と、を有する。
このように構成すれば、第１筐体に対して第２筐体を第１ミラーの中心を上下方向に通る軸を中心として回転させることが具現化できる。
【００５９】  また、本発明の口腔観察装置は、好ましくは、第２筐体は、被観察者からの光が直接的に第１ミラーへ入射する第１光路と被観察者からの光が直接的に第３ミラーへ入射する第２光路のうちのいずれか一方の光路を選択可能な光路選択手段を備え、光路選択手段を介して第２光路を選択したときには、第１筐体、第２ミラー、接眼鏡筒及び第４ミラーを静止させた状態で、被観察者の向きの変動又は被観察者の観察部位において観察者が所望する観察方向の変動に応じて、第３ミラー及び第１ミラーを回転させることにより、観察者の頭と手との相対的な位置が真っ直ぐな観察姿勢を保持した状態で、接眼鏡筒を介して被観察者の同じ方向からの観察像又は被観察者の観察部位において観察者が所望する任意の観察方向からの観察像を観察でき、光路選択手段を介して第１光路を選択したときには、第１筐体、第２ミラー及び接眼鏡筒を静止させた状態で、被観察者の向きの変動又は被観察者の観察部位において観察者が所望する観察方向の変動に応じて第１ミラーを回転させることにより、接眼鏡筒を介して被観察者の同じ方向からの観察像又は被観察者の観察部位において観察者が所望する任意の観察方向からの観察像を観察できるようにする。
このように光路選択手段を備えれば、被観察者が正面、斜めのいずれの向きを向いても、又は被観察者の観察部位において観察者が所望する観察方向を変えても、観察者は頭と手との相対的な位置が真っ直ぐな観察姿勢を保持した状態で、被観察者の位置を移動させることなく被観察者の同じ方向からの観察像又は被観察者の観察部位において観察者が所望する任意の観察方向からの観察像を観察できる。
【００６０】  また、本発明の口腔観察装置においては、好ましくは、第２筐体の開口部は、被観察者からの光が直接的に第１ミラーへ入射する第１領域と、被観察者からの光が直接的に第３ミラーへ入射する第２領域を有し、光路選択手段は、第１領域と第２領域のいずれか一方の領域を覆うことの可能な遮光部材からなる。
このように構成すれば、光路選択手段が具現化できる。
【００６１】  また、本発明の口腔観察装置においては、好ましくは、第２筐体を第１筐体に対して着脱可能にする。
このように構成すれば、観察時における被観察者の向き及び位置を変える必要性のない場合に、第２筐体を取り外すことで、観察スペースをより広く確保することができるとともに、操作性が向上する。
【００６２】  また、本発明の口腔観察装置においては、好ましくは、第２筐体保持部は、第２筐体の上部板面内側を保持する板面部と、板面部において第１筐体の開口部を挟んで少なくとも２つ設けられた凸条部とを備え、第２筐体は、２次元方向回転部を側方から挿入可能な切欠き部と、切欠き部の下側面に設けられた、夫々の凸条部を嵌入可能な複数の凹溝部とを備え、夫々の凸条部に夫々の凹溝部を嵌め入れ・抜き出しすることで、第２筐体が第１筐体に対し着脱可能にする。
このように構成すれば、第２筐体を第１筐体に対して着脱可能な構成が具現化できる。
【００６３】  また、本発明の口腔観察装置においては、好ましくは、第１ミラーにおける入射光軸及び出射光軸を含む仮想平面に対して垂直な軸上に接続され、且つ、第１筐体に回転可能に設けられた第１回転軸と、第１ミラーに接続し、その一端が第１把持可能に構成された第１把持部と、を備え、把持部を把持しながら第１筐体に対して第１ミラーを回転させることが可能な第１回転操作部を有する。
このように構成すれば、左右の眼が観察者の左右の眼に対して交差するような被観察姿勢をとっている被観察者の向きの変動又は被観察者の観察部位において観察者が所望する観察方向の変動に応じた、観察者による第１ミラーを回転させることによる、接眼鏡筒を介した被観察者の同じ方向からの観察像又は被観察者の観察部位において観察者が所望する任意の観察方向からの観察像の観察が具現化できる。
【００６４】  また、本発明の口腔観察装置においては、好ましくは、第１ミラーにおける入射光軸及び出射光軸を含む仮想平面に対して平行な軸上に接続され、且つ、第１筐体に回転可能に設けられた第１回転軸と、第１ミラーに接続し、その一端が把持可能に構成された第１把持部と、を備え、第１把持部を把持しながら第１筐体に対して第１ミラーを回転させることが可能な第１回転操作部を有する。
このように構成しても、左右の眼が観察者の左右の眼に対して平行となるような被観察姿勢をとっている被観察者の向きの変動又は被観察者の観察部位において観察者が所望する観察方向の変動に応じた、観察者による第１ミラーを回転させることによる、接眼鏡筒を介した被観察者の同じ方向からの観察像又は被観察者の観察部位において観察者が所望する任意の観察方向からの観察像の観察が具現化できる。
【００６５】  また、本発明の口腔観察装置においては、好ましくは、第１ミラーにおける入射光軸と出射光軸との交点近傍に接続された回転部を有し、回転部を中心として第１ミラーを３次元方向に回転させることができるように第１筐体に設けられた第１回転軸と、第１ミラーに接続し、その一端が把持可能に構成された第１把持部と、を備え、第１把持部を把持しながら第１筐体に対して第１ミラーを３次元方向に回転させることが可能な第１回転操作部を有する。
このように構成すれば、左右の眼が観察者の左右の眼に対してどのような被観察姿勢をとっている被観察者であっても、被観察者の向きの変動又は被観察者の観察部位において観察者が所望する観察方向の変動に応じた、観察者による第１ミラーを回転させることによる、接眼鏡筒を介した被観察者の同じ方向からの観察像又は被観察者の観察部位において観察者が所望する任意の観察方向からの観察像の観察が具現化できる。
【００６６】  また、本発明の口腔観察装置においては、好ましくは、第３ミラーにおける入射光軸及び出射光軸を含む仮想平面に対して垂直な軸上に接続され、且つ、第２筐体に回転可能に設けられた第２回転軸と、第３ミラーに接続し、その一端が把持可能に構成された第２把持部と、を備え、第２把持部を把持しながら第２筐体に対して第３ミラーを回転させることが可能な第２回転操作部を有する。
このように構成すれば、被観察者の向きの変動又は被観察者の観察部位において観察者が所望する観察方向の変動に応じた、観察者による第３ミラー及び第１ミラーを回転させることによる、観察者の頭と手との相対的な位置が真っ直ぐな観察姿勢を保持した状態での、接眼鏡筒を介した被観察者の同じ方向からの観察像又は被観察者の観察部位において観察者が所望する任意の観察方向からの観察像の観察が具現化できる。
【００６７】  また、本発明の口腔観察装置においては、好ましくは、第１ミラーにおける入射光軸及び出射光軸を含む仮想平面に対して垂直な軸上に接続された第１回転軸と、第１回転軸を回転可能に配置された第１モータと、第１筐体の外部に設けられていて第１モータの駆動を制御する第１スイッチと、を備え、第１スイッチを介して第１筐体に対して第１ミラーを回転させることが可能な第１回転操作部を有する。
また、本発明の口腔観察装置においては、好ましくは、第１ミラーにおける入射光軸及び出射光軸を含む仮想平面に対して平行な軸上に接続された第１回転軸と、第１回転軸を回転可能に配置された第１モータと、第１筐体の外部に設けられていて第１モータの駆動を制御する第１スイッチと、を備え、第１スイッチを介して第１筐体に対して第１ミラーを回転させることが可能な第１回転操作部を有する。
また、本発明の口腔観察装置においては、好ましくは、第３ミラーにおける入射光軸及び出射光軸を含む仮想平面に対して垂直な軸上に接続された第２回転軸と、第２回転軸を回転可能に配置された第２モータと、第２筐体の外部に設けられていて第２モータの駆動を制御する第２スイッチと、を備え、第２スイッチを介して第２筐体に対して第３ミラーを回転させることが可能な第２回転操作部を有する。
これらのように構成すれば、第１ミラー、第３ミラーの回転操作が簡単になり、観察者の負担がより一層軽減される。
【００６８】  また、本発明の口腔観察装置においては、好ましくは、第１ミラー及び第２ミラーが、金属製鏡からなる。
また、本発明の口腔観察装置においては、好ましくは、第１ミラー及び第２ミラーが、樹脂製表面反射鏡からなる。
また、本発明の口腔観察装置においては、第１筐体が、射出成形された樹脂材料からなる。
これらのように構成すれば、第１筐体の軽量化が具現化できる。
【００６９】  また、本発明の口腔観察装置においては、好ましくは、第３ミラー及び第４ミラーが、金属製鏡からなる。
また、本発明の口腔観察装置においては、第２筐体が、射出成形された樹脂材料からなる。
これらのように構成すれば、第２筐体の軽量化が具現化できる。
【００７０】  また、本発明の口腔観察装置においては、好ましくは、第１筐体が、任意の方向に曲げ可能に構成された支柱に保持されるようにする。
このように構成すれば、スペースを広く確保することが実現できる。
【００７１】  また、本発明の口腔観察装置においては、好ましくは、さらに、第１筐体における被観察者からの光を第１ミラーに入射させるための開口部に防塵用の透明板状部材を備える。
また、本発明の口腔観察装置においては、さらに、第２筐体における被観察者からの光を第３ミラーに入射させるための開口部に防塵用の透明板状部材を備える。
これらのように構成すれば、観察時におけるゴミ等の観察装置内への侵入を阻止でき、被観察者の被観察部をより良好に観察できる。
【００７２】  また、本発明の口腔観察装置においては、好ましくは、さらに、第１筐体における、被観察者からの光を第１ミラーに入射させるための開口部の近傍に、被観察者を照明するためのＬＥＤを備える。
また、本発明の口腔観察装置においては、好ましくは、さらに、第２筐体における、被観察者からの光を第１ミラー又は第３ミラーに入射させるための開口部の近傍に、被観察者を照明するためのＬＥＤを備える。
これらのように、筐体開口部近傍にＬＥＤを備えれば、別途に照明装置を設けずに済み、装置全体が小型軽量化できる。
【００７３】  また、本発明の口腔観察装置においては、好ましくは、第１筐体は、さらに、観察者により接眼鏡筒を介して拡大観察される被観察者からの光による像を撮像するビデオカメラを内蔵する。
このようにすれば、ビデオカメラで撮像した画像を外部の表示装置に表示することで、観察者が観察する被観察者の画像を被観察者も観察できるようになる。
【００７４】  また、本発明の口腔観察装置においては、好ましくは、第１筐体に、防塵用の透明板状部材に付着する汚れを除去するエアー式ワイパーを備える。
また、本発明の口腔観察装置においては、好ましくは、第２筐体に、防塵用の透明板状部材に付着する汚れを除去するエアー式ワイパーを備える。
【００７５】  本発明の口腔観察装置は、ミラーの反射により、光路長が延びて、焦点距離が長くなる傾向にある。光路長を抑えるためには、極力、観察者である術者が、治療作業に影響がない範囲で、筐体を被観察者である患者の口腔部に近接させる必要がある。詳しくは、観察光路をミラーで折り曲げない従来の歯科用顕微鏡の場合、患者の口腔部との距離を、平均して約２５ｃｍ程度離すことができるが、ミラーで折り曲げる本発明の口腔観察装置の場合、筐体と患者の口腔部との距離は、約１４〜２０ｃｍにする必要がある。
しかし、筐体を被観察者の口腔部に近接させると、歯を削る等したときに、水の飛沫が口腔外に飛散して、筐体内のレンズやミラーを曇らせることが起こりうる。レンズやミラーが曇る都度、手で拭き取らなければならないのでは、術者の作業が煩雑化し、手術に集中し難くなる。また、レンズやミラーを手で拭くとレンズの焦点がずれたり、ミラーの傾斜角度がずれたりして、観察条件を再調整しなければならなくなる虞もある。
しかるに、本発明のように、筐体に、防塵用の透明板状部材に付着する汚れを除去するエアー式ワイパーを備えれば、水の飛沫が飛散しても防塵用の透明板状部材により筐体内のレンズやミラーを曇らせることを防止した上で、エアー式ワイパーにより、観察者の手を用いることなく、防塵用の透明板状部材に付着する水の飛沫等を除去できる。このため、筐体を被観察者の口腔部に近接させた状態で、観察者である術者は手術に集中できる。
【００７６】  以下、本発明の実施例を、図面を用いて説明する。
実施例１
図１は本発明の参考例としての実施例１にかかる口腔観察装置の構成を概念的に示す説明図である。図２は図１の口腔観察装置における第１ミラーの第１筐体に対して回転可能な構成の一具体例を示す説明図で、（ａ）は要部平面図、（ｂ）は（ａ）のＡ−Ａ断面図、（ｃ）は（ａ）のＢ−Ｂ断面図である。図３は図１の口腔観察装置における第１ミラーの第１筐体に対して回転可能な構成の変形例を示す説明図で、（ａ）は要部平面図、（ｂ）は（ａ）のＡ−Ａ断面図、（ｃ）は（ａ）のＢ−Ｂ断面図である。図４は図１の口腔観察装置における第１ミラーの第１筐体に対して回転可能な構成のさらに他の変形例を示す説明図で、（ａ）は要部平面図、（ｂ）は（ａ）のＡ−Ａ断面図、（ｃ）は（ａ）のＢ−Ｂ断面図である。図５は図１の口腔観察装置における要部の機能を概念的に示す説明図で、（ａ）は被観察者が口腔観察装置に対して正面を向いた状態において第２ミラーに被観察者（の口腔部）の正面の像が映るように第１ミラーの向きを調整したときの状態を示す図、（ｂ）は被観察者が口腔観察装置に対して斜め側方を向いた状態において第２ミラーに被観察者（の口腔部）の正面の像が映るように第１ミラーの向きを調整したときの状態を示す図である。図６は図１の口腔観察装置を用いて被観察者を観察する場合における被観察者の向き及び観察位置と第１ミラーの回転方向との関係を原理的に示す説明図で、（ａ）は被観察者（の口腔部）が所定の基準位置で口腔観察装置に対して正面を向いた状態において、第１ミラーを所定量回転させて、第２ミラーに被観察者（の口腔部）の正面の像が映るようにしたときの状態を示す図、（ｂ）は（ａ）の状態から被観察者（の口腔部）が所定角度−２α°斜めを向き且つ位置を所定量ｍスライドした状態において、第１ミラーを−α°回転させて、第２ミラーに被観察者（の口腔部）の正面の像が映るようにしたときの状態を示す図、（ｃ）は（ａ）の状態から被観察者（の口腔部）が所定角度＋２α°斜めを向き且つ位置を所定量−ｍスライドした状態において、第１ミラーを＋α°回転させて、第２ミラーに被観察者の正面の像が映るようにしたときの状態を示す図である。図７は図１の口腔観察装置を用いて被観察者を観察する場合における被観察者の向き及び観察位置と第１ミラーの回転方向との関係を原理的に示す説明図で、（ａ）は被観察者（の口腔部）が口腔観察装置に対して図６（ａ）に示す位置を基準として９０度回転し且つ正面を向いた状態において、第１ミラーを所定量回転させて、第２ミラーに被観察者（の口腔部）の正面の像が映るようにしたときの状態を示す図、（ｂ）は（ａ）の状態から被観察者（の口腔部）が所定角度−２β°斜めを向き且つ位置を所定量Ｌスライドした状態において、第１ミラーを−β°回転させて、第２ミラーに被観察者（の口腔部）の正面の像が映るようにしたときの状態を示す図、（ｃ）は（ａ）の状態から被観察者（の口腔部）が所定角度＋２β°斜めを向き且つ位置を所定量−Ｌスライドした状態において、第１ミラーを＋β°回転させて、第２ミラーに被観察者の正面の像が映るようにしたときの状態を示す図である。
【００７７】  実施例１の口腔観察装置１は、図１に示すように、第１筐体１０と、接眼鏡筒２０を有して構成されている。図１中、１５は第１筐体の開口部、４０は観察者（の眼）、５０は被観察者（検体である患者）である。
第１筐体１０は、射出成形された樹脂材料からなり、第１ミラー１１と、第２ミラー１２を内部に備えている。
第１筐体１０の開口部１５には、防塵用の透明板状部材１６が取り付けられている。また、第１筐体１０には、防塵用の透明板状部材１６に付着する汚れを除去するためのエアー式ワイパー（図示省略）が備えられている。また、開口部１５の周囲近傍には、被観察者５０を照明するためのＬＥＤ１７が備えられている。
また、第１筐体１０は、任意の方向に曲げ可能に構成された支柱（図示省略）に保持されている。
第１ミラー１１は、金属製鏡又は樹脂製表面反射鏡からなり、被観察者５０からの光を偏向する。また、第１ミラー１１は、入射光軸と出射光軸との交点Ｐ又は交点Ｐの近傍を通る軸を中心として、第１筐体１０に対して回転可能に構成されている。
第２ミラー１２は、金属製鏡又は樹脂製表面反射鏡からなり、第１ミラー１１で偏向された被観察者５０からの光を偏向する。
接眼鏡筒２０は、第１筐体１０の第２ミラー１２側端部に接続されていて、内部に拡大鏡２１を備えている。
拡大鏡２１は、第２ミラー１２で偏向された被観察者５０からの光による像を観察者４０が拡大観察可能に構成されている。また、拡大鏡２１は、観察像の倍率を可変になるように構成されている。さらに、本実施例では、拡大鏡２１は双眼鏡として構成されており、図１では、左右の眼の一方の構成を示してある。なお、拡大鏡は、単眼鏡として構成されていても良い。
【００７８】  このように、実施例１の口腔観察装置１では、被観察者５０を観察するための光路上には、被観察者５０側から順に、第１ミラー１１と第２ミラー１２と接眼鏡筒２０（拡大鏡２１）が配置されている。
また、実施例１の口腔観察装置１は、第１筐体１０に対して第１ミラー１１を回転可能な第１回転操作部（図１では図示省略）を有している。
そして、実施例１の口腔観察装置１は、第１筐体１０、第２ミラー１２及び接眼鏡筒２０を静止させた状態で、被観察者５０の向きの変動又は被観察者５０の観察部位において観察者４０が所望する観察方向の変動に応じて、第１回転操作部を介して第１ミラー１１を回転させることにより、観察者４０の頭と手との相対的な位置が真っ直ぐな観察姿勢を保持した状態で、接眼鏡筒２０を介して被観察者５０の同じ方向からの観察像又は被観察者５０の観察部位において観察者４０が所望する任意の観察方向からの観察像を観察できるようになっている。
【００７９】  ここで、第１ミラー１１の第１筐体１０に対して回転可能な第１回転操作部の構成について、図２、図３、図４に示す例を用いて、より具体的に説明する。なお、便宜上、図２（ａ）、図４（ａ）では第１回転操作部における一部の構成を省略して示してある。
【００８０】  図２の例の第１回転操作部１３は、枠体１３ａと、第１回転軸１３ｂ，１３ｃと、第１把持部１３ｄを有して構成されている。
第１ミラー１１は、第１回転軸１３ｃに固定した状態で接続している。第１回転軸１３ｃは、第１ミラー１１における入射光軸と出射光軸を含む仮想平面に対して平行に配置された、入射光軸と出射光軸との交点Ｐ又は交点Ｐの近傍を通る軸上に位置する２本の棒状部材からなり、枠体１３ａに対して回転可能に設けられている。
枠体１３ａは、第１回転軸１３ｂに固定した状態で接続している。
第１回転軸１３ｂは、第１ミラー１１における入射光軸と出射光軸を含む仮想平面に対して垂直に配置された、入射光軸と出射光軸との交点Ｐ又は交点Ｐの近傍を通る軸上に位置する２本の棒状部材からなり、第１筐体１０に対して回転可能に設けられている。
また、第１回転軸１３ｃの両端には、コの字形の連結部１３ｄ’が接続している。
第１把持部１３ｄは、連結部１３ｄ’の中央上側に接続している。
このような構成により、図２の例の第１回転操作部１３は、観察者４０が第１把持部１３ｄを把持しながら、第１回転軸１３ｂを中心とする回転方向（図２における矢印ｘ方向）や、第１回転軸１３ｃを中心とする回転方向（図２における矢印ｙ方向）に回転させることにより、第１ミラー１１を第１筐体１０に対して回転させることができるようになっている。
【００８１】  図３の例の第１回転操作部１３は、枠体１３ａと、第１回転軸１３ｂ，１３ｃと、第１モータ１３ｅ，１３ｆと、ギア１３ｇ，１３ｈ，１３ｉ、１３ｊと、図示しない第１スイッチを有して構成されている。
第１ミラー１１は、第１回転軸１３ｃに固定した状態で接続している。
第１回転軸１３ｃは、第１ミラー１１における入射光軸と出射光軸を含む仮想平面に対して平行に配置された、入射光軸と出射光軸との交点Ｐ又は交点Ｐの近傍を通る軸上に位置する２本の棒状部材からなり、枠体１３ａに対して回転可能に設けられている。
枠体１３ａは、第１回転軸１３ｂに固定した状態で接続している。
第１回転軸１３ｂは、第１ミラー１１における入射光軸と出射光軸を含む仮想平面に対して垂直に配置された、入射光軸と出射光軸との交点Ｐ又は交点Ｐの近傍を通る軸上に位置する２本の棒状部材からなり、第１筐体１０に対して回転可能に設けられている。
第１モータ１３ｅは、例えば、ステッピングモータからなり、第１回転軸１３ｂの近傍に設けられている。第１モータ１３ｆは、例えば、ステッピングモータからなり、第１回転軸１３ｃの近傍に設けられている。
ギア１３ｇは、第１回転軸１３ｂと同軸に設けられている。ギア１３ｈは、第１回転軸１３ｃと同軸に設けられている。
ギア１３ｉは、第１モータ１３ｅの軸部に設けられていて、ギア１３ｇと歯合している。ギア１３ｈは、第１モータ１３ｆの軸部に設けられていて、ギア１３ｈと歯合している。
第１スイッチ（不図示）は、第１モータ１３ｅ，１３ｆの駆動を制御する。
このような構成により、図３の例の第１回転操作部１３は、観察者４０が第１スイッチ（不図示）のＯＮ／ＯＦＦ操作をすることにより、第１モータ１３ｅの駆動及びギア１３ｉ，１３ｇを介した第１回転軸１３ｂを中心とする回転方向（図３における矢印ｘ方向）への回転や、第１モータ１３ｆの駆動及びギア１３ｊ，１３ｈを介した第１回転軸１３ｃを中心とする回転方向（図３における矢印ｙ方向）への回転により、第１ミラー１１を第１筐体１０に対して回転させることができるようになっている。
【００８２】  図４の例の第１回転操作部１３は、第１回転軸１３ｋと、第１把持部１３ｄを有して構成されている。第１回転軸１３ｋは、３次元方向回転部１３ｋ１と、支持部１３ｋ２を備えている。
３次元方向回転部１３ｋ１は、第１回転軸１３ｋの一端に設けられ、第１ミラー１１における入射光軸と出射光軸との交点Ｐの近傍に接続されていて、３次元方向に回転可能な自在継手で構成されている。
支持部１３ｋ２は、一端が３次元方向回転部１３ｋ１を回転可能に支持し、他端が３次元方向回転部１３ｋ１を中心として第１ミラー１１を３次元方向に回転させることができるように第１筐体１０に固定した状態で接続している。
また、第１ミラー１１の両端における入射光軸と出射光軸との交点を通る軸上であって、且つ、第１ミラー１１における第１回転軸１３ｋの支持部１３ｋ２と干渉しない、所定位置には、コの字形の連結部１３ｄ’が接続している。
第１把持部１３ｄは、連結部１３ｄ’の中央上側に接続している。
このような構成により、図４の例の第１回転操作部１３は、観察者４０が第１把持部１３ｄを把持しながら、第１回転軸１３ｋの３次元方向回転部１３ｋ１を中心とする３次元方向（図４における矢印ｘ、ｙ方向を含む３次元方向）に回転させることにより、第１ミラー１１を第１筐体１０に対して回転させることができるようになっている。
【００８３】  このように構成された実施例１の口腔観察装置１を用いると、例えば、図５（ａ）のように、正面を向いた被観察者５０の正面の像を観察している場合において、被観察者５０の向きを図５（ｂ）のように変動させたとき又は被観察者５０の観察部位において観察者４０が所望する観察方向を変動させたときには、被観察者５０を所定方向に所定量スライドさせた後、観察者４０は、例えば図２又は図４の例の把持部１３ｄを把持しながら（あるいは、図３の例における第１スイッチ（不図示）を介して）、第１筐体１０、第２ミラー１２及び接眼鏡筒２０を静止させた状態で、把持部１３ｄを所定方向に所定角度回転させる等の、第１回転操作部１３を介した第１ミラー１１を所定方向に所定角度回転させる操作を行なうことによって、観察者は観察姿勢を保持したまま、被観察者５０の同じ方向からの観察像（ここでは、正面の像）又は被観察者５０の観察部位において観察者４０が所望する任意の観察方向からの観察像を観察することができるようになる。
その原理を図６及び図７を用いて説明する。
【００８４】  まず、図１の口腔観察装置１を用いて左右の眼が観察者４０の左右の眼に対して交差するような被観察姿勢をとっている被観察者５０を観察する場合における被観察者５０の向き及び観察位置と第１ミラー１１の回転方向との関係に関し、第１ミラー１１における入射光軸及び出射光軸を含む仮想平面に対して垂直な軸上に接続され、且つ、第１筐体１０に回転可能に設けられた第１回転軸１３ｂを回転させる場合について図６を用いて説明する。
図６（ａ）は、被観察者（の口腔部）５０が所定の基準位置で口腔観察装置１に対して正面を向いた状態において、第１ミラー１１を、第１回転軸１３ｂを中心として所定量回転させて、被観察者（の口腔部）５０の正面で反射した光が第２ミラー１２、接眼鏡筒２０の観察光軸を通るようにしたときの状態を示している。
図６（ａ）の状態から、被観察者（の口腔部）５０が所定角度−２α°斜めを向いたときには、さらに被観察者５０の位置を所定量＋ｍスライドさせる。その状態で、観察者４０は、第１回転操作部１３を介して第１ミラー１１を、第１回転軸１３ｂを中心として−α°回転させると（図６（ｂ）参照）、図６（ａ）と同様に、被観察者（の口腔部）５０の正面で反射した光が第２ミラー１２、接眼鏡筒２０の観察光軸を通るようになる。
この原理を次に説明する。
なお、図６においては、時計の針の回転方向を＋、時計の針とは反対の回転方向を−で示すこととする。また、図６（ａ）を基準とするスライド方向に関し、基準位置より右側方向を＋、左側方向を−で示すこととする。
【００８５】  図６（ａ）の状態から、接眼鏡筒２０、第２ミラー１２を静止させたまま、第１ミラー１１のみを、第１回転軸１３ｂを中心として−α°回転させたときにおける、接眼鏡筒２０から被観察者５０側に向かう光の方向について考える。第１ミラー１１を、第１回転軸１３ｂを中心として−α°回転させると、第１ミラー１１に対し垂直な線も、第１回転軸１３ｂを中心として−α°回転する。ここで、第２ミラー１２は静止させたままであるから第２ミラー１２からの光が第１ミラー１１に入射するときの入射角度は図６（ａ）に比べて−α°増えることになる。また、ミラーで反射する光の入射角と反射角は等しいため、第２ミラー１２から第１ミラー１１に入射し第１ミラー１１で反射した光の反射角度は図６（ａ）に比べて−２α°増えることになる。図６（ａ）に比べて−２α°増えた反射光軸上に被観察者５０を位置させるためには、被観察者５０の位置を図６（ａ）の状態から＋ｍスライドさせる必要がある。さらに、図６（ａ）に比べて−２α°増えた反射光軸上に位置する被観察者５０の同じ部位を図６（ａ）に比べて−２α°増えた反射光軸上に位置させるためには、図６（ａ）の状態から被観察者５０を−２α°回転させる必要がある。
【００８６】  ここで、光の進行方向を逆向きに考える。被観察者５０の向きが図６（ａ）に比べて−２α°回転したときは、被観察者５０の位置を図６（ａ）の状態から＋ｍスライドさせた状態で、第１ミラー１１を、第１回転軸１３ｂを中心として−α°回転させれば、図６（ａ）で観察したときと同じ部位で反射した光が第１ミラー１１での反射により第２ミラー１２に入射することになる。
【００８７】  また、上記と同様の原理より、図６（ａ）の状態から、被観察者（の口腔部）５０が所定角度＋２α°斜めを向いたときには、さらに被観察者５０の位置を所定量−ｍスライドさせる。その状態で、観察者４０は、回転操作部１３を介して第１ミラー１１を、第１回転軸１３ｂを中心として＋α°回転させると（図６（ｃ）参照）、図６（ａ）と同様に、被観察者（の口腔部）５０の正面で反射した光が第２ミラー１２、接眼鏡筒２０の観察光軸を通るようになる。
【００８８】  また、図６を用いて説明した原理を応用すると、被観察者（の口腔部）５０の向きを一定にさせた状態で、被観察者５０の位置を所定量スライドさせながら、第１回転操作部１３を介して第１ミラー１３を回転させることで、被観察者４０の観察部位において観察者５０が所望する任意の観察方向からの観察光が第２ミラー１２、接眼鏡筒２０の観察光軸を通るようになる。
【００８９】  次に、図１の口腔観察装置１を用いて左右の眼が観察者の左右の眼に対して平行となるような被観察姿勢をとっている被観察者５０を観察する場合における被観察者５０の向き及び観察位置と第１ミラー１１の回転方向との関係に関し、第１ミラー１１における入射光軸及び出射光軸を含む仮想平面に対して平行な軸上に接続され、且つ、第１筐体１０に回転可能に設けられた第１回転軸１３ｃを回転させる場合について図７を用いて説明する。
図７（ａ）は、被観察者（の口腔部）５０が所定の基準位置で口腔観察装置１に対して正面を向いた状態において、第１ミラー１１を、第１回転軸１３ｃを中心として所定量回転させて、被観察者（の口腔部）５０の正面で反射した光が第２ミラー１２、接眼鏡筒２０の観察光軸を通るようにしたときの状態を示している。
図７（ａ）の状態から、被観察者（の口腔部）５０が所定角度−２β°斜めを向いたときには、さらに被観察者５０の位置を所定量＋Ｌスライドさせる。その状態で、観察者４０は、回転操作部１３を介して第１ミラー１１を、第１回転軸１３ｃを中心として−β°回転させると（図７（ｂ）参照）、図７（ａ）と同様に、被観察者（の口腔部）５０の正面で反射した光が第２ミラー１２、接眼鏡筒２０の観察光軸を通るようになる。
この原理を次に説明する。
なお、図７においては、時計の針の回転方向を＋、時計の針とは反対の回転方向を−で示すこととする。また、図７（ａ）を基準とするスライド方向に関し、基準位置より右側方向を＋、左側方向を−で示すこととする。
【００９０】  図７（ａ）の状態から、接眼鏡筒２０、第２ミラー１２を静止させたまま、第１ミラー１１のみを、第１回転軸１３ｃを中心として−β°回転させたときにおける、接眼鏡筒２０から被観察者５０側に向かう光の方向について考える。第１ミラー１１を、第１回転軸１３ｃを中心として−β°回転させると、第１ミラー１１に対し垂直な線も、第１回転軸１３ｃを中心として−β°回転する。ここで、第２ミラー１２は静止させたままであるから第２ミラー１２からの光が第１ミラー１１に入射するときの入射角度は図７（ａ）に比べて−β°増えることになる。また、ミラーで反射する光の入射角と反射角は等しいため、第２ミラー１２から第１ミラー１１に入射し第１ミラー１１で反射した光の反射角度は図７（ａ）に比べて−２β°増えることになる。図７（ａ）に比べて−２β°増えた反射光軸上に被観察者５０を位置させるためには、被観察者５０の位置を図７（ａ）の状態から＋Ｌスライドさせる必要がある。さらに、図７（ａ）に比べて−２β°増えた反射光軸上に位置する被観察者５０の同じ部位を図７（ａ）に比べて−２β°増えた反射光軸上に位置させるためには、図７（ａ）の状態から被観察者５０を−２β°回転させる必要がある。
【００９１】  ここで、光の進行方向を逆向きに考える。被観察者５０の向きが図７（ａ）に比べて−２β°回転したときは、被観察者５０の位置を図７（ａ）の状態から＋Ｌスライドさせた状態で、第１ミラー１１を、第１回転軸１３ｃを中心として−β°回転させれば、図７（ａ）で観察したときと同じ部位で反射した光が第１ミラー１１での反射により第２ミラー１２に入射することになる。
【００９２】  また、上記と同様の原理より、図７（ａ）の状態から、被観察者（の口腔部）５０が所定角度＋２β°斜めを向いたときには、さらに被観察者５０の位置を所定量−Ｌスライドさせる。その状態で、観察者４０は、第１回転操作部１３を介して第１ミラー１１を、第１回転軸１３ｃを中心として＋β°回転させると（図７（ｃ）参照）、図７（ａ）と同様に、被観察者（の口腔部）５０の正面で反射した光が第２ミラー１２、接眼鏡筒２０の観察光軸を通るようになる。
【００９３】  また、図７を用いて説明した原理を応用すると、被観察者（の口腔部）５０の向きを一定にさせた状態で、被観察者５０の位置を所定量スライドさせながら、第１回転操作部１３を介して第１ミラー１３を回転させることで、被観察者４０の観察部位において観察者５０が所望する任意の観察方向からの観察光が第２ミラー１２、接眼鏡筒２０の観察光軸を通るようになる。
【００９４】  なお、図１に示したように、実施例１の口腔観察装置１において、第１ミラー１１で反射したときの被観察者の像は左右が反転した像となるが、第２ミラー１２で反射したときに被観察者の像は左右が元の状態に戻った像となる。
【００９５】  実施例１の口腔観察装置１によれば、被観察者５０を観察するための光路上に、被観察者５０側から順に、第１ミラー１１と第２ミラー１２と接眼鏡筒２０を配置し、第１ミラー１１が、入射光軸と出射光軸との交点Ｐ又は交点Ｐの近傍を通る軸を中心として、第１筐体１０に対して回転可能であって、第１筐体１０、第２ミラー１２及び接眼鏡筒２０を静止させた状態で、被観察者５０の向きの変動又は被観察者５０の観察部位において観察者４０が所望する観察方向の変動に応じて第１ミラー１１を回転させることにより、観察者４０の頭と手との相対的な位置が真っ直ぐな観察姿勢を保持した状態で、接眼鏡筒２０を介して被観察者５０の同じ方向からの観察像又は被観察者５０の観察部位において観察者４０が所望する任意の観察方向からの観察像を観察できるように構成したので、被観察者５０が向きを変えても、又は被観察者５０の観察部位において観察者４０が所望する観察方向を変えても、被観察者５０の位置をスライドさせれば、観察者４０は観察姿勢を保持したまま第１ミラー１１を回転させるだけで被観察者５０の同じ方向からの観察像又は被観察者５０の観察部位において観察者４０が所望する任意の観察方向からの観察像を観察することができる。
そして、実施例１の口腔観察装置１によれば、実施例２において後述する第２筐体を有して構成することにより、被観察者５０が向きを変えても、又は被観察者５０の観察部位において観察者４０が所望する観察方向を変えても、観察者４０は頭と手との相対的な位置が真っ直ぐな観察姿勢を保持した状態で、第１ミラー１１を回転させるだけで被観察者５０の同じ方向からの観察像又は被観察者５０の観察部位において観察者４０が所望する任意の観察方向からの観察像を観察することができ、観察者４０の肉体的・精神的な負担を大幅に軽減することができる。
【００９６】  また、実施例１の口腔観察装置１によれば、第１筐体１０内における被観察者５０を観察するための光路上に第１ミラー１１と第２ミラー１２のみを配置して接眼鏡筒２０に被観察者５０からの光線を導くようにしたので、従来の口腔観察装置のような多数のレンズとプリズムを備えずに済み、小型軽量化できる。その結果、強度と精密性を維持するために頑強な金属製の鏡体や、その重い鏡体を支持する頑丈な金属製の可動アーム及び可動アームを支持する支柱が不要となり、術者を補助する補助者としての歯科衛生士のスペースが大幅に拡がる。
そして、実施例１の口腔観察装置１によれば、上述のように、小型軽量化でき、鏡体を支持する頑丈な金属製の可動アーム及び可動アームを支持する支柱が不要となるため、製品としての価格を飛躍的に低減でき、需要者の経済的負担を格段に軽減でき、広く普及させることが可能となる。その結果、歯科治療において、歯科医による治療の精度が向上し、患者に与える肉体的負担も軽減できる。
【００９７】  また、実施例１の口腔観察装置１において、第１回転操作部１３を、第１ミラー１１における入射光軸及び出射光軸を含む仮想平面に対して垂直な軸上に接続された第１回転軸１３ｂと、第１回転軸１３ｂを回転可能に配置された第１モータ１３ｅと、第１筐体１０の外部に設けられていて第１モータ１３ｅの駆動を制御する第１スイッチ（不図示）と、を備え、第１スイッチを介して第１筐体１０に対して第１ミラー１１を回転させることが可能に構成する、あるいは、第１回転操作部１３を、第１ミラー１１における入射光軸及び出射光軸を含む仮想平面に対して平行な軸上に接続された第１回転軸１３ｃと、第１回転軸を回転可能に配置された第１モータ１３ｆと、第１筐体１０の外部に設けられていて第１モータ１３ｆの駆動を制御する第１スイッチ（不図示）と、を備え、第１スイッチを介して第１筐体１０に対して第１ミラー１１を回転させることが可能に構成すれば、第１ミラー１１の回転操作が簡単になり、観察者４０の負担がより一層軽減される。
【００９８】  また、実施例１の口腔観察装置１によれば、第１ミラー１１及び第２ミラー１２を、金属製鏡又は樹脂製表面反射鏡で構成し、また、第１筐体１０を、射出成形された樹脂材料で構成したので、第１筐体１０の軽量化が具現化できる。
【００９９】  そして、実施例１の口腔観察装置１によれば、第１筐体１０が、任意の方向に曲げ可能に構成された支柱（不図示）に保持されるようにしたので、スペースを広く確保することが実現できる。
【００１００】  また、実施例１の口腔観察装置１によれば、さらに、第１筐体１０における被観察者５０からの光を第１ミラー１１に入射させるための開口部１５に防塵用の透明板状部材１６を備えたので、観察時におけるゴミ等の観察装置内への侵入を阻止でき、被観察者５０の被観察部をより良好に観察できる。
【００１０１】  また、実施例１の口腔観察装置１によれば、第１筐体１０に、防塵用の透明板状部材１６に付着する汚れを除去するエアー式ワイパー（図示省略）を備えたので、水の飛沫が飛散しても防塵用の透明板状部材１６により第１筐体１０内のレンズやミラーを曇らせることを防止した上で、エアー式ワイパーにより、観察者４０の手を用いることなく、防塵用の透明板状部材１６に付着する水の飛沫等を除去できる。このため、第１筐体１０を被観察者５０の口腔部に近接させた状態で、観察者４０である術者は手術に集中できる。
【０１０２】  また、実施例１の口腔観察装置１によれば、さらに、第１筐体１０における、被観察者５０からの光を第１ミラー１１に入射させるための開口部１５の近傍に、被観察者５０を照明するためのＬＥＤ１７を備えたので、別途に照明装置を設けずに済み、装置全体が小型軽量化できる。
【０１０３】  なお、実施例１の口腔観察装置１の図２、図３に示す例では、第１回転操作部１３を、入射光軸と出射光軸との交点Ｐ又は交点Ｐの近傍を通る、第１ミラーにおける入射光軸及び出射光軸を含む仮想平面に対して、垂直な回転軸１３ｂと平行な軸の両方の回転軸１３ｃの両方の軸を中心として、第１筐体１０に対して回転可能に構成したが、いずれか一方の回転軸のみを中心として回転可能に構成してもよい。
【０１０４】実施例２
図８は本発明の実施例２にかかる口腔観察装置の構成を概念的に示す説明図である。図９は図８の口腔観察装置における第２筐体の第１筐体に対して回転可能な構成の具体例を示す説明図で、（ａ）は概略断面図、（ｂ）は要部平面図、（ｃ）は要部側面図である。図１０は図８の口腔観察装置における第３ミラーの第２筐体に対して回転可能な構成の一具体例を示す説明図で、（ａ）は要部平面図、（ｂ）は（ａ）のＡ−Ａ断面図、（ｃ）は側面図である。図１１は図８の口腔観察装置における第３ミラーの第２筐体に対して回転可能な構成の変形例を示す説明図で、（ａ）は要部平面図、（ｂ）は（ａ）のＡ−Ａ断面図である。図１２は図８の口腔観察装置における光路選択手段による光路の選択状態を示す説明図で、（ａ）は第２光路を選択したときの状態を示す図、（ｂ）は第１光路を選択したときの状態を示す図である。図１３は図８の口腔観察装置における要部の機能を概念的に示す説明図で、被観察者が口腔観察装置に対して斜め側方を向いた状態において第２ミラーに被観察者（の口腔部）の正面の像が映るように第３ミラー及び第１ミラーの向きを調整したときの状態を示す図である。図１４は図８の口腔観察装置における第１筐体に対する第２筐体の相対的な向きを示す説明図で、（ａ）は第１筐体に対し第２筐体が組み合わさった状態を示す図、（ｂ）は（ａ）に示す第１筐体に組み合わさる第２筐体の向きの一例を示す図、（ｃ）は（ａ）に示す第１筐体に組み合わさる第２筐体の向きの他の例を示す図、（ｄ）は（ｃ）の向きで第２筐体を組み合わせた状態における、被観察者の観察可能部位の一例を示す説明図であって、第２筐体の長手方向が第１筐体の長手方向に沿うように、第２筐体を回転させて、被観察者の上顎を観察するときの状態を概念的に示す光路図である。図１５は図８の口腔観察装置を用いて被観察者を観察する場合における被観察者の向きと第１ミラー及び第３ミラーの回転方向との関係を原理的に示す説明図で、（ａ）は被観察者（の口腔部）が図６（ａ）の状態から位置をスライドすることなく所定角度−２α°斜めを向いた状態において、第３ミラーを所定角度回転させるとともに第１ミラーを−α°回転させて、第２ミラーに被観察者（の口腔部）の正面の像が映るようにしたときの状態を示す図、（ｂ）は被観察者（の口腔部）が図６（ａ）の状態から位置をスライドすることなく所定角度−４α°斜めを向いた状態において、第３ミラーを所定角度回転させるとともに第１ミラーを−（１／２）Ａ°回転させて、第２ミラーに被観察者（の口腔部）の正面の像が映るようにしたときの状態を示す図、（ｃ）は被観察者（の口腔部）が図６（ａ）の状態から位置をスライドすることなく所定角度−α°斜めを向いた状態において、第３ミラーを所定角度回転させるとともに第１ミラーを−（１／２）Ｂ°回転させて、第２ミラーに被観察者（の口腔部）の正面の像が映るようにしたときの状態を示す図、（ｄ）は被観察者（の口腔部）が図６（ａ）の状態から位置をスライドすることなく所定角度＋２α°斜めを向いた状態において、第２筐体を第１ミラーの中心を上下方向に通る軸を中心として１８０度回転させ、さらに、第３ミラーを所定角度回転させるとともに第１ミラーを＋α°回転させて、第２ミラーに被観察者（の口腔部）の正面の像が映るようにしたときの状態を示す図である。図１６は図８の口腔観察装置を用いて被観察者を観察する場合における被観察者の向きと第１ミラー及び第３ミラーの回転方向との関係を原理的に示す説明図で、（ａ）は被観察者（の口腔部）が口腔観察装置に対して図６（ａ）に示す位置を基準として９０度回転し且つ所定角度−２β°斜めを向いた状態において、第３ミラーを所定角度回転させるとともに第１ミラーを−β°回転させて、第２ミラーに被観察者（の口腔部）の正面の像が映るようにしたときの状態を示す図、（ｂ）は被観察者（の口腔部）が口腔観察装置に対して図６（ａ）に示す位置を基準として９０度回転し且つ所定角度＋２β°斜めを向いた状態において、第３ミラーを所定角度回転させるとともに第１ミラーを＋β°回転させて、第２ミラーに被観察者（の口腔部）の正面の像が映るようにしたときの状態を示す図である。
【０１０５】  実施例２の口腔観察装置１’は、図８に示すように、第１筐体１０と、接眼鏡筒２０と、第２筐体３０を有して構成されている。図８中、３５は第２筐体の開口部である。
第１筐体１０における第１ミラー１１及び第２ミラー１２、接眼鏡筒２０の構成は、実施例１の口腔観察装置１におけるものと略同じである。
第２筐体３０は、射出成形された樹脂材料からなり、第３ミラー３１と、第４ミラー３２を内部に備えている。
第２筐体３０の開口部３５には、防塵用の透明板状部材３６が取り付けられている。また、第２筐体３０には、防塵用の透明板状部材３６に付着する汚れを除去するためのエアー式ワイパー（図示省略）が備えられている。また、開口部３５の周囲近傍には、被観察者５０を照明するためのＬＥＤ３７が備えられている。
また、第２筐体３０は、第１筐体１０に対して被観察者５０側に配置され、第１ミラー１１の中心Ｐを上下方向に通る軸を中心として回転可能に構成されている。
第３ミラー３１は、金属製鏡又は樹脂製表面反射鏡からなり、被観察者５０からの光を偏向する。また、第３ミラー３１は、入射光軸と出射光軸との交点Ｑ又は交点Ｑの近傍を通る軸を中心として、第２筐体３０に対して回転可能に構成されている。
第４ミラー３２は、金属製鏡又は樹脂製表面反射鏡からなり、第３ミラー３１で偏向された被観察者５０からの光を第１ミラー１１へ偏向する。
【０１０６】  このように、実施例２の口腔観察装置１’では、被観察者５０を観察するための光路上には、被観察者５０側から順に、第３ミラー３１と、第４ミラー３２と、第１ミラー１１と第２ミラー１２と接眼鏡筒２０が配置されている。
また、本実施例の口腔観察装置１’は、第２筐体３０に対して第３ミラー３１を回転可能な第２回転操作部（図８では図示省略）を有している。
さらに、実施例２の口腔観察装置１’では、第２筐体３０は、被観察者５０からの光が直接的に第１ミラー１１へ入射する第１光路と被観察者５０からの光が直接的に第３ミラー３１へ入射する第２光路のうちのいずれか一方の光路を選択可能な光路選択手段として、開口部３５における一部の領域を覆うことの可能な遮光部材３８を備えている。
【０１０７】  そして、実施例２の口腔観察装置１’では、遮光部材３８を介して第１光路を選択したときには、第１筐体１０、第２ミラー１２及び接眼鏡筒２０を静止させた状態で、被観察者５０の向きの変動又は被観察者５０の観察部位において観察者４０が所望する観察方向の変動に応じて第１ミラー１１を回転させることにより、観察者４０の頭と手との相対的な位置が真っ直ぐな観察姿勢を保持した状態で、接眼鏡筒２０を介して被観察者５０の同じ方向からの観察像又は被観察者５０の観察部位において観察者４０が所望する任意の観察方向からの観察像を観察でき、遮光部材３８を介して第２光路を選択したときには、第１筐体１０、第２ミラー１２、接眼鏡筒２０及び第４ミラー３２を静止させた状態で、被観察者５０の向きの変動又は被観察者５０の観察部位において観察者４０が所望する観察方向の変動に応じて、第３ミラー３１及び第１ミラー１１を回転させることにより、観察者４０の頭と手との相対的な位置が真っ直ぐな観察姿勢を保持した状態で、接眼鏡筒２０を介して被観察者５０の同じ方向からの観察像又は被観察者５０の観察部位において観察者４０が所望する任意の観察方向からの観察像を観察できるようになっている。
【０１０８】  ここで、第２筐体３０の第１筐体１０に対して回転可能な構成について、図９に示す例を用いて、より具体的に説明する。
図９の例では、第１筐体１０は、開口部に、第１ミラー１１の中心Ｐを上下方向に通る軸を中心として２次元方向（図９では矢印Ｚ方向）に回転可能な２次元方向回転部１８を備えている。
２次元方向回転部１８は、スラスト玉軸受部１８ａと、ラジアル玉軸受部１８ｂと、第２筐体保持部１８ｃとを有している。
スラスト玉軸受部１８ａは、下側に溝が形成された環状板部１８ａ１と、環状板部１８ａ１の溝に嵌めこまれていて、第１筐体１０における開口部１５近傍の底面を環状の軌跡を描いて転がる複数のボール１８ａ２とで構成されている。
ラジアル玉軸受部１８ｂは、環状板部１８ａ１における溝の内側位置から下方に垂直に延びていて、外側に溝が形成された筒状部１８ｂ１と、筒状部１８ｂ１の溝に嵌めこまれていて、第１筐体１０における開口部１５近傍の内側面を転がる複数のボール１８ｂ２とで構成されている。
第２筐体保持部１８ｃは、筒状部１８ｂ１の下端に接続していて、第２筐体３０の上部板面内側を保持する板面部１８ｃ１と、板面部１８ｃ１における筒状部１８ｂ１を挟んだ第１筐体１０の短手方向に少なくとも２つ設けられた凸条部１８ｃ２とで構成されている。
また、第２筐体３０には、上部及び上部側方にかけて、図１０（ｃ）に示すように、第１筐体１０に取り付けられた２次元方向回転部１８を側方から挿入可能な切欠き部が形成されている。また、切欠き部の下側面には、夫々の凸条部１８ｃ２を嵌入可能な複数の凹溝部３８’が設けられている。
そして、第２筐体３０は、夫々の凹溝部３８’を第１筐体１０に備えられた２次元方向回転部１８における第２筐体保持部１８ｃの夫々の凸条部１８ｃ２に沿って嵌入させられることにより、第１筐体１０に取り付けられて、第２筐体３０の上部板面内側が第２筐体保持部１８ｃの板面部１８ｃ１に保持された状態となり、さらに、その状態において、２次元方向回転部１８におけるスラスト玉軸受部１８ａ、ラジアル玉軸受部１８ｂを介して、第１筐体１０に対して、第１ミラー１１の中心Ｐを上下方向に通る軸を中心として矢印Ｚ方向に回転可能となる。
なお、第２筐体３０は、夫々の凹溝部３８’を第１筐体１０に備えられた２次元方向回転部１８における第２筐体保持部１８ｃの夫々の凸条部１８ｃ２に沿って抜くことにより、第１筐体１０から取り外すこともできる。
【０１０９】  次に、第３ミラー３１の第２筐体３０に対して回転可能な第２回転操作部の構成について、図１０、図１１に示す例を用いて、より具体的に説明する。なお、便宜上、図１０（ａ）では第２回転操作部における一部の構成を省略して示してある。
図１０の例の第２回転操作部３３は、第２回転軸３３ｂと、第２把持部３３ｄを有して構成されている。第３ミラー３１は、第２回転軸３３ｂに接続している。第２回転軸３３ｂは、第３ミラー３１における入射光軸と出射光軸を含む仮想平面に対して垂直に配置された、入射光軸と出射光軸との交点Ｑ又は交点Ｑの近傍を通る軸であって、第２筐体３０に対して回転可能に設けられている。また、第２回転軸３３ｂの一端には、Ｌ字形のレバー部３３ｄ’が接続している。第２把持部３３ｄは、レバー部３３ｄ’の上端に接続されている。
このような構成により、図１０の例の第２回転操作部３３は、観察者４０が第２把持部３３ｄを把持しながら、第２回転軸３３ｂを中心とする回転方向（図１０における矢印ｘ方向）に回転させることにより、第３ミラー３１を第２筐体１０に対して回転させることができるようになっている。
【０１１０】  図１１の例の第２回転操作部３３は、第２回転軸３３ｂと、第２モータ３３ｅと、ギア３３ｇ，３３ｉと、図示しない第２スイッチを有して構成されている。第３ミラー３１は、第２回転軸３３ｂに接続している。第２回転軸３３ｂは、第２ミラー３１における入射光軸と出射光軸を含む仮想平面に対して垂直に配置された、入射光軸と出射光軸との交点Ｑ又は交点Ｑの近傍を通る軸であって、第２筐体３０に対して回転可能に設けられている。
第２モータ３３ｅは、例えば、ステッピングモータからなり、第２回転軸１３ｂの近傍に設けられている。ギア１３ｇは、第２回転軸３３ｂと同軸に設けられている。ギア３３ｉは、第２モータ３３ｅの軸部に設けられていて、ギア３３ｇと歯合している。
第２スイッチ（不図示）は、第２モータ３３ｅの駆動を制御する。
このような構成により、図１１の例の第２回転操作部３３は、観察者４０が第２スイッチ（不図示）のＯＮ／ＯＦＦ操作をすることにより、第２モータ３３ｅの駆動及びギア３３ｉ，３３ｇを介した第２回転軸３３ｂを中心とする回転方向（図１１における矢印ｘ方向）への回転により、第３ミラー３１を第２筐体３０に対して回転させることができるようになっている。
【０１１１】  次に、遮光部材３８を介した光路選択について図１２を用いて説明する。
第２筐体３０の開口部３５は、被観察者からの光が直接的に第１ミラーへ入射可能な第１領域３５ａと、被観察者からの光が直接的に第３ミラーへ入射可能な第２領域３５ｂを有している。
遮光部材３８は、第２筐体３０において開口部３５の上方をスライドする薄板状部材からなり、開口部３５における第１領域３５ａ、第２領域３５ｂのいずれか一方を覆うことができるように構成されている。遮光部材３８のスライドは、遮光部材３８に接続する図示しない把持部を介して行うことができるようになっている。なお、遮光部材３８のスライドは、ステッピングモータやギア等を介して電動で行うようにしてもよい。
そして、図８の口腔観察装置１’では、遮光部材３８が第１領域３５ａを遮光したときに、被観察者５０からの光が直接的に第３ミラー３１へ入射する第２光路が選択され、遮光部材３８が第２領域３５ｂを遮光したときに、被観察者５０からの光が直接的に第１ミラー１１へ入射する第１光路が選択される。
【０１１２】  このように構成された実施例２の口腔観察装置１’を用いると、例えば、図１３のように正面から外れた所定方向を向いた被観察者５０の正面の像を観察している場合において、被観察者５０が向きを変動させたとき又は被観察者５０の観察部位において観察者４０が所望する観察方向を変動させたときには、観察者４０は、遮光部材３８を介して第３光路を選択するとともに、例えば図２又は図４の例の把持部１３ｄ及び図１０の例の把持部３３ｄを把持しながら（あるいは、図３の例における第１スイッチ（不図示）及び図１１の例における第２スイッチ（不図示）を介して）、第１筐体１０、第２ミラー１２、接眼鏡筒２０、第４ミラー３２を静止させた状態で、把持部１３ｄを所定方向に所定角度回転させる等の、回転操作部１３を介した第１ミラー１１を所定方向に所定角度回転させる操作及び把持部３３ｄを所定方向に所定角度回転させる等の、回転操作部３３を介した第３ミラー３１を所定方向に所定角度回転させる操作を行なうことによって、頭と手との相対的な位置が真っ直ぐな観察姿勢を保持したまま、被観察者５０の位置を移動させることなく被観察者５０の同じ方向からの観察像又は被観察者５０の観察部位において観察者４０が所望する任意の観察方向からの観察像を観察できるようになる。
また、被観察者５０が図１３とは反対方向を向いたときには、例えば、図１４（ａ）、図１４（ｂ）の状態から、第２筐体３０を第１筐体１０に対して第１ミラー１１の中心Ｐを上下方向に通る軸を中心としてＺ方向に１８０度回転させて、上記と同様の操作を行なうことによって、頭と手との相対的な位置が真っ直ぐな観察姿勢を保持したまま、被観察者５０の位置を移動させることなく被観察者５０の同じ方向からの観察像又は被観察者５０の観察部位において観察者４０が所望する任意の観察方向からの観察像を観察できるようになる。
なお、被観察者５０が正面を向いたときには、観察者４０は、遮光部材３８を介して第１光路を選択して、実施例１と同様の操作を行なうことによって、頭と手との相対的な位置が真っ直ぐな観察姿勢を保持したまま、被観察者５０の位置を移動させることなく被観察者５０の同じ方向からの観察像又は被観察者５０の観察部位において観察者４０が所望する任意の観察方向からの観察像を観察できるようになる。
また、第２筐体３０を第１筐体１０に対し、例えば、図１４（ａ）に示す状態から、図１４（ｃ）に示すように、互いの筐体の長手方向が一致するように回転させると、第３ミラー３１、第１ミラー１１の回転により、被観察者５０に対する上下方向において、観察者４０における頭と手との相対的な位置が真っ直ぐな観察姿勢を保持したまま、被観察者５０の位置を移動させることなく被観察者５０の同じ方向からの観察像又は被観察者５０の観察部位において観察者４０が所望する任意の観察方向からの観察像を観察できる範囲を広くとることができる。また、実施例２の口腔観察装置１’を用いると、例えば、図１４（ｄ）に示すように、従来、通常の観察装置では観察姿勢を保持したままでは観察が非常に難しかった被観察者４０の上顎についても、観察者４０は頭と手との相対的な位置が真っ直ぐな観察姿勢を保持したまま、被観察者５０の位置を移動させることなく観察像を観察できるようになる。
その原理を図１５及び図１６を用いて説明する。
【０１１３】  まず、図８の口腔観察装置１’を用いて左右の眼が観察者４０の左右の眼に対して交差するような被観察姿勢をとっている被観察者５０を観察する場合における被観察者５０の向き並びに観察位置と第１ミラー１１及び第３ミラー３１の回転方向との関係に関し、第１ミラー１１における入射光軸及び出射光軸を含む仮想平面に対して垂直な軸上に接続され、且つ、第１筐体１０に回転可能に設けられた第１回転軸１３ｂ及び第３ミラー３１における入射光軸及び出射光軸を含む仮想平面に対して垂直な軸上に接続され、且つ、第２筐体１０に回転可能に設けられた第２回転軸３３ｂを回転させる場合について図１５を用いて説明する。
なお、図１５では被観察者５０は左右の眼が第２筐体３０の長手方向に沿うような被観察姿勢にあるとともに、第２筐体３０は第１筐体１０に対し、互いの筐体の長手方向が一致するように回転させられているものとする。
図１５（ａ）は、被観察者（の口腔部）５０が図６（ａ）の状態から位置をスライドすることなく所定角度−２α°斜めを向いた状態において、第３ミラー３１を所定角度回転させるとともに第１ミラーを−α°回転させて、第２ミラー１２に被観察者（の口腔部）５０の正面の像が映るようにしたときの状態を示している。この状態は、次の操作により実現できる。
図６（ａ）の状態から、被観察者（の口腔部）５０が所定角度−２α°斜めを向いたときには、被観察者５０の位置をスライドさせることなく、観察者４０は、第２回転操作部３３を介して第３ミラー３１を、第２回転軸３３ｂを中心として所定角度回転させると、第４ミラー３２で反射した光が、図６（ｂ）と同様に、図６（ａ）の状態から−２α°斜めを向いて第１ミラー１１に入射するようになる。その状態で、観察者４０は、第１回転操作部１３を介して第１ミラー１１を、第１回転軸１３ｂを中心として−α°回転させると（図１５（ａ）参照）、図６（ａ）と同様に、被観察者（の口腔部）５０の正面で反射した光が第２ミラー１２、接眼鏡筒２０の観察光軸を通るようになる。
この原理を次に説明する。
なお、図１５においては、時計の針の回転方向を＋、時計の針とは反対の回転方向を−で示すこととする。
【０１１４】  上述したように、接眼鏡筒２０から被観察者５０側に向かう光の方向について考えたとき、図６（ａ）の状態から、接眼鏡筒２０、第２ミラー１２を静止させたまま、第１ミラー１１を、第１回転軸１３ｂを中心として−α°回転させると、第２ミラー１２から第１ミラー１１に入射し第１ミラー１１で反射した光の反射角度は図６（ａ）に比べて−２α°増えることになる。
第１ミラー１１で反射した光を第４ミラー３２で反射し、第４ミラー３２で反射した光を第３ミラー３１で反射させる。ここで、図１５（ａ）の例では、第３ミラー３１を所定角度回転させて第３ミラー３１で反射した光が被観察者（の口腔部）５０に入射するように調整されているものとし、このときの第３ミラー３１で反射した光の入射角が−２α°であるものとする。
図１５（ａ）の状態から、被観察者（の口腔部）５０がさらに−２α°（図６（ａ）の状態から−４α°）斜めを向いたときに、第３ミラー３１を所定量回転させることで、第４ミラー４を経由して、第１ミラー１１の中心Ｐに光を入射させることができる。図１５（ｂ）の例では、第１ミラー１１に入射する光の入射角は、図６（ａ）の状態よりも−Ａ°増えている。
第１ミラー１１に図６（ａ）の状態よりも−Ａ°増えた角度で入射した光は、上述したように、その１／２倍の角度（即ち、−１／２Ａ°）に第１ミラー１１を回転させることで、図６（ａ）で観察したときと同じ部位で反射した光が第１ミラー１１での反射により第２ミラー１２に入射されることになる。
同様に、図１５（ａ）の状態から、被観察者（の口腔部）５０がさらに＋α°（図６（ａ）の状態から−α°）斜めを向いたときに、第３ミラー３１を所定量回転させることで、第４ミラー４を経由して、第１ミラー１１の中心Ｐに光を入射させることができる。図１５（ｃ）の例では、第１ミラー１１に入射する光の入射角は、図６（ａ）の状態よりも−Ｂ°増えている。
第１ミラー１１に図６（ａ）の状態よりも−Ｂ°増えた角度で入射した光は、上述したように、その１／２倍の角度（即ち、−１／２Ｂ°）に第１ミラー１１を回転させることで、図６（ａ）で観察したときと同じ部位で反射した光が第１ミラー１１での反射により第２ミラー１２に入射されることになる。
即ち、実施例２の口腔観察装置１’では、第３ミラー３１を所定量回転させて、第４ミラー３２の反射光が、第１ミラー１１の中心Ｐに入射するように調整すれば、第１ミラー１１に入射する光の入射角度が、図６（ａ）を基準として、どのような角度であっても、第１ミラー１１を、第１ミラー１１に入射する光の角度の１／２回転させることで、図６（ａ）で観察したときと同じ部位で反射した光を第２ミラー１２に入射させることができる。
【０１１５】  また、図６（ａ）の状態から、被観察者（の口腔部）５０が所定角度＋２α°斜めを向いたときには、第１筐体１０に対し、第２筐体３０を１８０°回転させる。これにより、第３ミラー３１で被観察者（の口腔部）５０からの光を反射させ、第４ミラー３２を経由して、第１ミラー１１の中心Ｐに光を入射させることができる。図１５（ｄ）の例では、第１ミラー１１に入射する光の入射角は、図６（ａ）の状態よりも＋２α°増えている。
上述したように、実施例２の口腔観察装置１’では、第３ミラー３１を所定量回転させて、第４ミラー３２の反射光が、第１ミラー１１の中心Ｐに入射するように調整すれば、第１ミラー１１に入射する光の入射角度が、図６（ａ）を基準として、どのような角度であっても、第１ミラー１１を、第１ミラー１１に入射する光の角度の１／２回転させることで、図６（ａ）で観察したときと同じ部位で反射した光を第２ミラー１２に入射させることができる。このため、第１ミラー１１を＋α°回転させることで、図６（ａ）で観察したときと同じ部位で反射した光が第１ミラー１１での反射により第２ミラー１２に入射されることになる。
【０１１６】  また、図１５を用いて説明した原理を応用すると、被観察者（の口腔部）５０の向きを一定にさせた状態で、第２回転操作部３３を介して第３ミラー３３を回転させるとともに、第１回転操作部１３を介して第１ミラー３３を回転させることで、被観察者４０の観察部位において観察者５０が所望する任意の観察方向からの観察光が第２ミラー１２、接眼鏡筒２０の観察光軸を通るようになる。
【０１１７】  次に、図８の口腔観察装置１’を用いて左右の眼が観察者の左右の眼に対して平行となるような被観察姿勢をとっている被観察者５０を観察する場合における被観察者５０の向き及び観察位置と第１ミラー１１及び第３ミラー３１の回転方向との関係に関し、第１ミラー１１における入射光軸及び出射光軸を含む仮想平面に対して平行な軸上に接続され、且つ、第１筐体１０に回転可能に設けられた第１回転軸１３ｃ及び第３ミラー３１における入射光軸及び出射光軸を含む仮想平面に対して垂直な軸上に接続され、且つ、第２筐体１０に回転可能に設けられた第２回転軸３３ｂ、を回転させる場合について図１６を用いて説明する。
なお、図１６では被観察者５０は左右の眼が第２筐体３０の長手方向に９０度交差するような被観察姿勢にあるとともに、第２筐体３０は第１筐体１０に対し、互いの筐体の長手方向が９０度交差するように回転させられているものとする。
図１６（ａ）は、被観察者（の口腔部）５０が図６（ａ）の状態から位置をスライドすることなく所定角度−２β°斜めを向いた状態において、第３ミラー３１を所定角度回転させるとともに第１ミラーを−β°回転させて、第２ミラー１２に被観察者（の口腔部）５０の正面の像が映るようにしたときの状態を示している。この状態は、次の操作により実現できる。
図７（ａ）の状態から、被観察者（の口腔部）５０が所定角度−２β°斜めを向いたときには、被観察者５０の位置をスライドさせることなく、観察者４０は、第２回転操作部３３を介して第３ミラー３１を、第２回転軸３３ｂを中心として所定角度回転させると、第４ミラー３２で反射した光が、図７（ｂ）と同様に、図７（ａ）の状態から−２β°斜めを向いて第１ミラー１１に入射するようになる。その状態で、観察者４０は、第１回転操作部１３を介して第１ミラー１１を、第１回転軸１３ｂを中心として−β°回転させると（図１６（ａ）参照）、図７（ａ）と同様に、被観察者（の口腔部）５０の正面で反射した光が第２ミラー１２、接眼鏡筒２０の観察光軸を通るようになる。
この原理を次に説明する。
なお、図１６においては、時計の針の回転方向を＋、時計の針とは反対の回転方向を−で示すこととする。また、図１６（ａ）におけるスライド方向に関し、基準位置より右側方向を＋、左側方向を−で示すこととする。
【０１１８】  上述したように、接眼鏡筒２０から被観察者５０側に向かう光の方向について考えたとき、図７（ａ）の状態から、接眼鏡筒２０、第２ミラー１２を静止させたまま、第１ミラー１１を、第１回転軸１３ｃを中心として−β°回転させると、第２ミラー１２から第１ミラー１１に入射し第１ミラー１１で反射した光の反射角度は図７（ａ）に比べて−β°増えることになる。
第１ミラー１１で反射した光を第４ミラー３２で反射し、第４ミラー３２で反射した光を第３ミラー３１で反射させる。ここで、図１６（ａ）の例では、第３ミラー３１を所定角度回転させて第３ミラー３１で反射した光が被観察者（の口腔部）５０に入射するように調整されているものとし、このときの第３ミラー３１で反射した光の入射角が−２β°であるものとする。
第１ミラー１１に図７（ａ）の状態よりも−２β°増えた角度で入射した光は、上述したように、その１／２倍の角度（即ち、−β°）に第１ミラー１１を回転させることで、図７（ａ）で観察したときと同じ部位で反射した光が第１ミラー１１での反射により第２ミラー１２に入射されることになる。
【０１１９】  また、上記と同様の原理より、図７（ａ）の状態から、被観察者（の口腔部）５０がさらに＋２β°斜めを向いたときに、第３ミラー３１を所定量回転させることで、第４ミラー４を経由して、第１ミラー１１の中心Ｐに光を入射させることができる。図１６（ｂ）の例では、第１ミラー１１に入射する光の入射角は、図７（ａ）の状態よりも−２β°増えている。
第１ミラー１１に図７（ａ）の状態よりも−β°増えた角度で入射した光は、上述したように、その１／２倍の角度（即ち、−１／２β°）に第１ミラー１１を回転させることで、図７（ａ）で観察したときと同じ部位で反射した光が第１ミラー１１での反射により第２ミラー１２に入射されることになる。
【０１２０】  また、上記と同様の原理より、図７（ａ）の状態から、被観察者（の口腔部）５０が所定角度＋２β°斜めを向いたときには、被観察者５０の位置をスライドさせることなく、観察者４０は、第２回転操作部３３を介して第３ミラー３１を、第２回転軸３３ｂを中心として所定角度回転させると、第４ミラー３２で反射した光が、図７（ｂ）と同様に、図７（ａ）の状態から＋２β°斜めを向いて第１ミラー１１に入射するようになる。その状態で、観察者４０は、第１回転操作部１３を介して第１ミラー１１を、第１回転軸１３ｃを中心として＋β°回転させると（図１６（ｂ）参照）、図７（ａ）と同様に、被観察者（の口腔部）５０の正面で反射した光が第２ミラー１２、接眼鏡筒２０の観察光軸を通るようになる。
【０１２１】  また、図１６を用いて説明した原理を応用すると、被観察者（の口腔部）５０の向きを一定にさせた状態で、第２回転操作部３３を介して第３ミラー３３を回転させるとともに、第１回転操作部１３を介して第１ミラー３３を回転させることで、被観察者４０の観察部位において観察者５０が所望する任意の観察方向からの観察光が第２ミラー１２、接眼鏡筒２０の観察光軸を通るようになる。
【０１２２】  なお、例えば、図１６の状態から第２筐体３０を第１筐体１０に対して、互いの長手方向が交差するように回転させると、図１４（ｄ）に示したような向きにすることができる。この場合においても、図１５、図１６を用いて説明したのと同様の原理により、観察者４０は、被観察者５０の位置をスライドさせることなく、第３ミラー３１、第１ミラー１１、第２筐体３０の回転により、被観察者（の口腔部）５０を上下方向の所定範囲の角度にわたって、被観察者（の口腔部）５０の正面で反射した光が第２ミラー１２、接眼鏡筒２０の観察光軸を通るようになる。
また、図１６の状態から第２筐体３０を第１筐体１０に対して、互いの長手方向が交差するように回転させて図１４（ｄ）に示したような向きにした場合において、被観察者５０の位置をスライドさせることなく、しかも被観察者５０の上下方向の向きを変動させない場合は、第３ミラー３１、第１ミラー１１、第２筐体３０の回転により、被観察者（の口腔部）５０を上下方向の所定範囲の角度にわたって、被観察者（の口腔部）５０における異なる部位で反射した光が第２ミラー１２、接眼鏡筒２０の観察光軸を通るようになり、従来、通常の観察装置では観察姿勢を保持したままでは観察が非常に難しかった被観察者４０の上顎についても、観察像を観察できるようになる。
【０１２３】  実施例２の口腔観察装置１’によれば、実施例１の口腔観察装置１の構成に加えて、第２筐体３０をさらに有して構成し、被観察者５０の向きの変動又は被観察者５０の観察部位において観察者４０が所望する観察方向の変動に応じて、第３ミラー３１及び第１ミラー１１を回転させることにより、接眼鏡筒２０を介して被観察者５０の同じ方向からの観察像又は被観察者５０の観察部位において観察者４０が所望する任意の観察方向からの観察像を観察できるようにしたので、被観察者５０が向きを変えても、又は被観察者５０の観察部位において観察者４０が所望する観察方向を変えても、観察者４０は頭と手との相対的位置が正中ずれを起こすことなく真っ直ぐな観察姿勢を保持した状態で、被観察者５０の位置を移動させることなく被観察者５０の同じ方向からの観察像又は被観察者５０の観察部位において観察者４０が所望する任意の観察方向からの観察像を観察できる。
【０１２４】  また、実施例２の口腔観察装置１’によれば、被観察者５０の左右の眼が第２筐体３０の長手方向に沿うような被観察姿勢にあるとともに、第２筐体３０が第１筐体１０に対し、互いの筐体の長手方向が一致する状態で使用したときには、第３ミラー３１、第１ミラー１１の回転により、被観察者５０に対する上下方向において、観察者４０における頭と手との相対的な位置が真っ直ぐな観察姿勢を保持したまま、被観察者５０の位置を移動させることなく被観察者５０の同じ方向からの観察像又は被観察者５０の観察部位において観察者４０が所望する任意の観察方向からの観察像を観察できる範囲を広くとることができる。また、従来、通常の観察装置では観察姿勢を保持したままでは観察が非常に難しかった被観察者５０の上顎についても、観察者４０は頭と手との相対的な位置が真っ直ぐな観察姿勢を保持したまま、被観察者５０の位置を移動させることなく観察像を観察できる。
【０１２５】  また、実施例２の口腔観察装置１’によれば、第１筐体１０に対して第２筐体３０を第１ミラー１１の中心Ｐを上下方向に通る軸を中心として回転させることができるようにしたので、被観察者５０が正面の向きから左右何れの方向に所定角度向きを変えても、又は被観察者５０の観察部位において観察者４０が所望する観察方向を変えても、第２筐体３０を回転させることにより、観察者４０は頭と手との相対的な位置が真っ直ぐな観察姿勢を保持した状態で、被観察者５０の位置を移動させることなく被観察者５０の同じ方向からの観察像又は被観察者５０の観察部位において観察者４０が所望する任意の観察方向からの観察像を観察できる。
【０１２６】  また、実施例２の口腔観察装置１’によれば、第２筐体３０に、被観察者５０からの光が直接的に第１ミラー１１へ入射する第１光路と被観察者５０からの光が直接的に第３ミラー３１へ入射する第２光路のうちのいずれか一方の光路を選択可能な光路選択手段（図８の例では、遮光部材３８）を備え、光路選択手段を介して第２光路を選択したときには、第１筐体１０、第２ミラー１２、接眼鏡筒２０及び第４ミラー３２を静止させた状態で、被観察者５０の向きの変動又は被観察者５０の観察部位において観察者４０が所望する観察方向の変動に応じて、第３ミラー３１及び第１ミラー１１を回転させることにより、観察者４０の頭と手との相対的な位置が真っ直ぐな観察姿勢を保持した状態で、接眼鏡筒２０を介して被観察者５０の同じ方向からの観察像又は被観察者５０の観察部位において観察者４０が所望する任意の観察方向からの観察像を観察でき、光路選択手段を介して第１光路を選択したときには、第１筐体１０、第２ミラー１２及び接眼鏡筒２０を静止させた状態で、被観察者５０の向きの変動又は被観察者５０の観察部位において観察者４０が所望する観察方向の変動に応じて第１ミラー１１を回転させることにより、観察者４０の頭と手との相対的な位置が真っ直ぐな観察姿勢を保持した状態で、接眼鏡筒２０を介して被観察者５０の同じ方向からの観察像又は被観察者５０の観察部位において観察者４０が所望する任意の観察方向からの観察像を観察できるようにしたので、被観察者が正面、斜めのいずれの向きを向いても、又は被観察者５０の観察部位において観察者４０が所望する観察方向を何れの方向に変えても、観察者は頭と手との相対的な位置が真っ直ぐな観察姿勢を保持した状態で、被観察者の位置を移動させることなく被観察者の同じ方向からの観察像又は被観察者５０の観察部位において観察者４０が所望する任意の観察方向からの観察像を観察できる。
【０１２７】  また、実施例２の口腔観察装置１’によれば、第２筐体３０を第１筐体１０に対して着脱可能に構成したので、観察時における被観察者５０の向き及び位置を変える必要性のない場合に、第２筐体３０を取り外すことで、観察スペースをより広く確保することができるとともに、操作性が向上する。
【０１２８】  また、実施例２の口腔観察装置１’において、第２回転操作部３３を、第３ミラー３１における入射光軸及び出射光軸を含む仮想平面に対して垂直な軸上に接続された第２回転軸３３ｂと、第２回転軸３３ｂを回転可能に配置された第２モータ３３ｅと、第２筐体３０の外部に設けられていて第２モータ３３ｅの駆動を制御する第２スイッチ（不図示）と、を備え、第２スイッチを介して第２筐体３０に対して第３ミラー３１を回転させることが可能に構成すれば、第３ミラー３１の回転操作が簡単になり、観察者４０の負担がより一層軽減される。
【０１２９】  また、実施例２の口腔観察装置１’によれば、第３ミラー３１及び第４ミラー３２を、金属製鏡又は樹脂製表面反射鏡で構成し、また、第２筐体３０を、射出成形された樹脂材料で構成したので、第２筐体３０の軽量化が具現化できる。
【０１３０】  また、実施例２の口腔観察装置１’によれば、さらに、第２筐体３０における被観察者５０からの光を第３ミラー３１又は第１ミラー１１に入射させるための開口部３５に防塵用の透明板状部材３６を備えたので、観察時におけるゴミ等の観察装置内への侵入を阻止でき、被観察者５０の被観察部をより良好に観察できる。
【０１３１】  また、実施例２の口腔観察装置１’によれば、第２筐体３０に、防塵用の透明板状部材３６に付着する汚れを除去するエアー式ワイパー（図示省略）を備えたので、水の飛沫が飛散しても防塵用の透明板状部材３６により第２筐体３０内のミラーを曇らせることを防止した上で、エアー式ワイパーにより、観察者４０の手を用いることなく、防塵用の透明板状部材３６に付着する水の飛沫等を除去できる。このため、第２筐体３０を被観察者５０の口腔部に近接させた状態で、観察者４０である術者は手術に集中できる。
【０１３２】  また、実施例２の口腔観察装置１’によれば、さらに、第２筐体３０における、被観察者５０からの光を第３ミラー３１又は第１ミラー１１に入射させるための開口部３５の近傍に、被観察者５０を照明するためのＬＥＤ３７を備えたので、別途に照明装置を設けずに済み、装置全体の小型軽量化に寄与する。
【０１３３】  その他の構成及び作用効果は、実施例１の口腔観察装置１と略同じである。
【０１３４】  以上、本発明の口腔観察装置の実施例を説明したが、本発明の口腔観察装置は、上記実施例の構成に限定されるものではない。
例えば、実施例２における図９及び図１０に示した口腔観察装置１’では、２次元方向回転部１８に第２筐体保持部１８ｃ（板面部１８ｃ１、凸条部１８ｃ２）を備えるとともに、第２筐体３０の上部及び上部側方にかけて２次元方向回転部１８を側方から挿入可能な切欠き部と、第２筐体３０の凹溝部３８’を設け、第２筐体３０を第１筐体１０に着脱可能に構成したが、第２筐体３０は、第１筐体１０に対し、第１ミラー１１の中心Ｐを上下方向に通る軸を中心として２次元方向（図９では矢印Ｚ方向）に回転可能であれば、第１筐体１０に対し着脱不能に構成してもよい。
【０１３５】  また、本発明の口腔観察装置における、第１ミラーが第１筐体に対して回転可能な構成や、第３ミラーが第２筐体に対して回転可能な構成は、上記各実施例の説明において図示した構成に限定されるものではなく、どのような構成であってもよい。
【０１３６】  また、図８に示した実施例２の口腔観察装置１’では、第２筐体３０を、第１筐体１０に対して、第１ミラー１１の中心Ｐを上下方向に通る軸を中心として回転可能に構成したが、本発明の口腔観察装置は、第２筐体を第１筐体との相対的位置を変動可能に配置されたものであればよく、例えば、図１７に示すように、第２筐体３０を、第１筐体１０に対して、所定方向にスライド可能に取り付けた構成としてもよい。
【０１３７】  図１７は実施例２の一変形例にかかる口腔観察装置の要部構成を示す説明図で、（ａ）は斜視図、（ｂ）は第１筐体に対する第２筐体の取り付け状態を示す図である。なお、図１７では便宜上、拡大鏡、その他一部の構成を省略して示してある。
図１７の変形例の口腔観察装置１”では、第１筐体１０の底部には、短手方向の一対の辺に沿って、１対のガイド部１９が設けられている。ガイド部１９は、肉厚状の基部１９ａと、支持部１９ｂとで構成されている。支持部１９ｂは断面がＬ字状に形成されていて基部１９ａに固定されている。
また、第２筐体３０の長手方向側部には、一対の被支持部３９が設けられている。被支持部３９は、断面がＬ字状に形成されていて、上下の向きを逆にして、第２筐体３０の長手方向側部に固定されている。
そして、第２筐体３０は、第１筐体１０に対し、被支持部３９が支持部１９に支持されるように挿入されており、第１筐体１０の短手方向（図１７では矢印Ａ方向）にスライド可能となっている。
【０１３８】  なお、図１７の変形例の口腔観察装置１”では、第１筐体１０には、コの字形の枠体１３ａ’が固定されている。また、第１回転軸１３ｂがコの字形の枠体１３ａ’に対し、回転可能に設けられている。そして、第１ミラー１１は、第１回転軸１３ｂに接続されており、第１回転軸１３ｂを介して第１筐体１０に対して回転可能となっている。
また、第２筐体３０には、コの字形の枠体３３ａ’が固定されている。また、第２回転軸３３ｂがコの字形の枠体３３ａ’に対し、回転可能に設けられている。そして、第３ミラー３１は、第２回転軸３３ｂに接続されており、第２回転軸３３ｂを介して第２筐体３０に対して回転可能となっている。
その他の構成は、図８に示した実施例２の口腔観察装置１’と略同じである。
【０１３９】  図１７の変形例の口腔観察装置１”によれば、第２筐体３０を、第１筐体１０に対し、第１筐体１０の短手方向にスライドさせるとともに、第１ミラー１１、第３ミラー３１の回転角度を調整することにより、被観察者が正面の向きから左右何れか一方の方向に所定角度向きを変えても、又は被観察者の観察部位において観察者が所望する観察方向を変えても、観察者は頭と手との相対的な位置が真っ直ぐな観察姿勢を保持した状態で、被観察者の位置をスライドさせることなく被観察者の同じ方向からの観察像又は被観察者の観察部位において観察者が所望する任意の観察方向からの観察像を観察できる。
その他の作用効果は、図８に示した実施例２の口腔観察装置１’と略同じである。
【０１４０】  図１８は実施例２の他の変形例にかかる口腔観察装置の要部構成を示す説明図で、（ａ）は上方から見た図、（ｂ）は斜視図である。図１８（ｂ）中、５０ａは観察者の手である。なお、図１８では便宜上、拡大鏡、その他一部の構成を省略して示してある。
図１８の変形例の口腔観察装置１’”では、第１回転操作部１３は、コの字形の枠体１３ａ”と、第１回転軸１３ｂ”，１３ｃ”と、第１把持部１３ｄ”を有して構成されている。第１ミラー１１は、第１回転軸１３ｂ”に固定した状態で接続している。第１回転軸１３ｂ”は、第１ミラー１１における入射光軸と出射光軸を含む仮想平面に対して垂直に配置された、入射光軸と出射光軸との交点又は交点の近傍を通る軸上に位置する１本の棒状部材からなり、コの字形の枠体１３ａ”に対して回転可能に設けられている。コの字形の枠体１３ａ”は、第１回転軸１３ｃ”の一端に固定した状態で接続している。第１回転軸１３ｃ”は、第１ミラー１１における入射光軸と出射光軸を含む仮想平面に対して平行に配置された、入射光軸と出射光軸との交点又は交点の近傍を通る軸上に位置する１本の棒状部材からなり、第１筐体１０に対して回転可能に設けられている。第１把持部１３ｄ”は、第１回転軸１３ｃ”の他端に固定した状態で接続している。
【０１４１】  また、図１８の変形例の口腔観察装置１’”では、第１筐体１０に対して第２ミラー１２を回転可能な第２ミラー回転操作部１４”を有している。第２ミラー回転操作部１４”は、コの字形の枠体１４ａ”と、回転軸１４ｂ”，１４ｃ”と、把持部１４ｄ”を有して構成されている。第２ミラー１２は、回転軸１４ｂ”に固定した状態で接続している。回転軸１４ｂ”は、第２ミラー１２における入射光軸と出射光軸を含む仮想平面に対して垂直に配置された、入射光軸と出射光軸との交点又は交点の近傍を通る軸上に位置する１本の棒状部材からなり、コの字形の枠体１４ａ”に対して回転可能に設けられている。コの字形の枠体１４ａ”は、回転軸１４ｃ”の一端に固定した状態で接続している。回転軸１４ｃ”は、第２ミラー１２における入射光軸と出射光軸を含む仮想平面に対して平行に配置された、入射光軸と出射光軸との交点又は交点の近傍を通る軸上に位置する１本の棒状部材からなり、第１筐体１０に対して回転可能に設けられている。把持部１４ｄ”は、回転軸１４ｃ”の他端に固定した状態で接続している。
【０１４２】  また、図１８の変形例の口腔観察装置１’”では、第２回転操作部３３は、コの字形の枠体３３ａ”と、第２回転軸３３ｂ”，３３ｃ”と、第２把持部３３ｄ”を有して構成されている。第３ミラー３１は、第２回転軸３３ｂ”に固定した状態で接続している。第２回転軸３３ｂ”は、第３ミラー３１における入射光軸と出射光軸を含む仮想平面に対して垂直に配置された、入射光軸と出射光軸との交点又は交点の近傍を通る軸上に位置する１本の棒状部材からなり、コの字形の枠体３３ａ”に対して回転可能に設けられている。コの字形の枠体３３ａ”は、第２回転軸３３ｃ”の一端に固定した状態で接続している。第２回転軸３３ｃ”は、第３ミラー３１における入射光軸と出射光軸を含む仮想平面に対して平行に配置された、入射光軸と出射光軸との交点又は交点の近傍を通る軸上に位置する１本の棒状部材からなり、第２筐体３０に対して回転可能に設けられている。第２把持部３３ｄ”は、第２回転軸３３ｃ”の他端に固定した状態で接続している。
【０１４３】  また、第２筐体３０は、第１筐体１０に対して被観察者側に配置され、２次元方向回転部１８”を介して第１ミラー１１の中心を上下方向に通る軸を中心として回転可能に構成されている。２次元方向回転部１８”は、筒状の軸受部１８ａ”と、第２筐体保持部１８ｃ”とを有している。筒状の軸受部１８ａ”は、例えば、図９に示した２次元方向回転部１８におけるスラスト玉軸受部とラジアル玉軸受部を備えて構成されている。第２筐体保持部１８ｃ”は、第２筐体３０の上部に固定されていて、筒状の軸受部１８ａ”の筒形状部分を嵌合する穴を有し、穴の周囲で筒状の軸受部１８ａ”の上縁を保持する板面で構成されている。
その他の構成は、図８に示した実施例２の口腔観察装置１’と略同じである。
図１８の変形例の口腔観察装置１’”によれば、図８に示した実施例２の口腔観察装置１’と同様、被観察者が向きを変えても、又は被観察者の観察部位において観察者が所望する観察方向を変えても、観察者は頭と手との相対的な位置が真っ直ぐな観察姿勢を保持した状態で、被観察者の位置をスライドさせることなく被観察者の同じ方向からの観察像又は被観察者の観察部位において観察者が所望する任意の観察方向からの観察像を観察できる。
【０１４４】  さらに、本発明の口腔観察装置は、上記の実施例、変形例で説明した構成に限定されるものではなく、これらの例の夫々において特有の構成を任意に組合せて構成してもよい。
【産業上の利用可能性】
【０１４５】  本発明の口腔観察装置は、歯科治療において、歯科医師が患者の口腔を拡大観察することのほかにも、観察者が姿勢を保持したまま被観察者の向きを変えて又は被観察者の観察部位において観察者が所望する観察方向を変えて狭い術部を診断・治療・手術することが求められるあらゆる分野に有用である。
【符号の説明】
【０１４６】１、１’、１”、１’”      口腔観察装置
１０      第１筐体
１１      第１ミラー
１２      第２ミラー
１３      第１回転操作部
１３ａ、１３ａ’、１３ａ”      枠体
１３ｂ、１３ｃ、１３ｃ”、１３ｋ      第１回転軸
１３ｄ、１３ｄ”      第１把持部
１３ｄ’      連結部
１３ｅ、１３ｆ      第１モータ
１３ｇ、１３ｈ、１３ｉ、１３ｊ      ギア
１３ｋ１      ３次元方向回転部
１３ｋ２      支持部
１４ａ”      枠体
１４ｂ”、１４ｃ”      回転軸
１４ｄ”      把持部
１５，３５      開口部
１６、３６      防塵用の透明板状部材
１７、３７      ＬＥＤ
１８、１８”      ２次元方向回転部
１８ａ      スラスト玉軸受部
１８ａ”      筒状の軸受部
１８ａ１      環状板部
１８ａ２、１８ｂ２      ボール
１８ｂ      ラジアル玉軸受部
１８ｂ１      筒状部
１８ｃ、１８ｃ”      第２筐体保持部
１８ｃ１      板面部
１８ｃ２      凸条部
１９      ガイド部
１９ａ      基部
１９ｂ      支持部
２０      接眼鏡筒
２１      拡大鏡
３０      第２筐体
３１      第３ミラー
３２      第４ミラー
３３      第２回転操作部
３３ａ’、３３ａ”      枠体
３３ｂ、３３ｂ”、３３ｃ”      第２回転軸
３３ｄ、３３ｄ”      第２把持部
３３ｄ’      レバー部
３３ｅ      第２モータ
３３ｇ、３３ｉ      ギア
３８      光路選択手段（遮光部材）
３８’      凹溝部
３９      被支持部
４０      観察者
５０      被観察者
【要約】
【課題】装置全体を小型・軽量化でき、且つ、被観察者の向きの変動又は観察者が所望する観察方向の変動に追従して、観察者の頭と手との相対的な位置が真っ直ぐな観察姿勢を保持した状態で観察可能な口腔観察装置の提供。
【解決手段】被観察者からの光を偏向する第１ミラー１１と第１ミラーで偏向された光を偏向する第２ミラー１２を備えた第１筐体１０と、第１筐体に接続され第２ミラーで偏向された光による像を拡大観察可能な接眼鏡筒２０とを有し、観察光路上には被観察者側から順に第１ミラーと第２ミラーと接眼鏡筒が配置され、第１ミラーが、入射光軸と出射光軸との交点Ｐ又は交点近傍を通る軸を中心として第１筐体に対して回転可能に構成され、第１筐体、第２ミラー及び接眼鏡筒を静止させた状態で、被観察者の向きの変動に応じて第１ミラーを回転させて、被観察者の同じ方向からの観察像を観察できるようにした。
【選択図】図１【図１】
0006040513.tif 000002
【図２】
0006040513.tif 000003
【図３】
0006040513.tif 000004
【図４】
0006040513.tif 000005
【図５】
0006040513.tif 000006
【図６】
0006040513.tif 000007
【図７】
0006040513.tif 000008
【図８】
0006040513.tif 000009
【図９】
0006040513.tif 000010
【図１０】
0006040513.tif 000011
【図１１】
0006040513.tif 000012
【図１２】
0006040513.tif 000013
【図１３】
0006040513.tif 000014
【図１４】
0006040513.tif 000015
【図１５】
0006040513.tif 000016
【図１６】
0006040513.tif 000017
【図１７】
0006040513.tif 000018
【図１８】
0006040513.tif 000019
【図１９】
0006040513.tif 000020
【図２０】
0006040513.tif 000021
【図２１】
0006040513.tif 000022
【図２２】
0006040513.tif 000023